(57)【要約】  本開示のいくつかの態様は、概して、ワイヤレス通信に関する。いくつかの態様では、ユーザ機器は、２Ｇ／３Ｇセルを識別するために測定構成または測定ギャップのうちの少なくとも１つを識別する第１のハンドオーバーコマンドメッセージを４Ｇ／ＬＴＥデバイスから５Ｇ／ＮＲ基地局を介して受信することと、ここにおいて、第１のハンドオーバーコマンドメッセージは４Ｇ／ＬＴＥを介したＵＥの５Ｇ／ＮＲから２Ｇ／３Ｇへのハンドオーバーと関連付けられる、測定構成および／または測定ギャップに少なくとも部分的に基づいて２Ｇ／３Ｇセルに関する測定報告を４Ｇ／ＬＴＥデバイスに５Ｇ／ＮＲ基地局を介して送信することと、２Ｇ／３Ｇセルを介するコールの実施のために５Ｇ／ＮＲ基地局を介して４Ｇ／ＬＴＥデバイスから受信された第２のハンドオーバーメッセージに少なくとも部分的に基づいて２Ｇ／３Ｇセルに同調することとを行い得る。多数の他の態様が提供される。
2020537448.tif 000002
【特許請求の範囲】
【請求項１】
ユーザ機器（ＵＥ）によって実施されるワイヤレス通信の方法であって、
そのセルを介して前記ＵＥがコールを実施することになる２Ｇ／３Ｇセルを識別するために、測定構成または測定ギャップのうちの少なくとも１つを識別する第１のハンドオーバーコマンドメッセージを、４Ｇ／ロングタームエボリューション（ＬＴＥ）デバイスから５Ｇ／新無線（ＮＲ）基地局を介して受信することと、
ここにおいて、前記第１のハンドオーバーコマンドメッセージが、４Ｇ／ＬＴＥを介した前記ＵＥの５Ｇ／ＮＲから２Ｇ／３Ｇへのハンドオーバーと関連付けられる、
前記測定構成および／または前記測定ギャップに少なくとも部分的に基づいて、前記２Ｇ／３Ｇセルに関する測定報告を、前記４Ｇ／ＬＴＥデバイスに前記５Ｇ／ＮＲ基地局を介して送信することと、
前記２Ｇ／３Ｇセルを介する前記コールの実施のために、前記５Ｇ／ＮＲ基地局を介して前記４Ｇ／ＬＴＥデバイスから受信された第２のハンドオーバーメッセージに少なくとも部分的に基づいて前記２Ｇ／３Ｇセルに同調することとを備える、方法。
【請求項２】
前記ＵＥが、前記５Ｇ／ＮＲから２Ｇ／３Ｇへのハンドオーバーを実施するときに、ＬＴＥエアインターフェースにアクセスしない、請求項１に記載の方法。
【請求項３】
前記測定報告が、４Ｇ／ＬＴＥ無線リソース制御（ＲＲＣ）メッセージ内にカプセル化され、ここにおいて、前記４Ｇ／ＬＴＥ  ＲＲＣメッセージが、５Ｇ／ＮＲ  ＲＲＣメッセージ内にカプセル化される、請求項１に記載の方法。
【請求項４】
前記測定報告が、前記５Ｇ／ＮＲ基地局に対してトランスペアレントであるコンテナ内にカプセル化される、請求項１に記載の方法。
【請求項５】
前記第１のハンドオーバーコマンドメッセージまたは前記第２のハンドオーバーメッセージのうちの少なくとも１つが、前記５Ｇ／ＮＲ基地局に対してトランスペアレントであるコンテナ内にカプセル化される、請求項１に記載の方法。
【請求項６】
前記ＵＥの前記２Ｇ／３Ｇセルへのパケット交換ハンドオーバーの構成のためにトラッキングエリア更新（ＴＡＵ）メッセージを提供することと、
前記第２のハンドオーバーメッセージを有するＴＡＵ受付メッセージを受信することに少なくとも部分的に基づいて、前記ＵＥの前記２Ｇ／３Ｇセルへの前記パケット交換ハンドオーバーのためにルーティングエリア更新（ＲＡＵ）を実施することとをさらに備える、請求項１に記載の方法。
【請求項７】
前記ＴＡＵメッセージおよび前記ＴＡＵ受付メッセージが、ＬＴＥ無線リソース制御（ＲＲＣ）コンテナ内にカプセル化された非アクセス層（ＮＡＳ）メッセージである、請求項６に記載の方法。
【請求項８】
前記２Ｇ／３Ｇセルが選択された基地局であり、前記測定報告が、前記選択された基地局を含む複数の２Ｇ／３Ｇセルに関する情報を含む、請求項１に記載の方法。
【請求項９】
前記第１のハンドオーバーコマンドメッセージを受信することが、
複数の対応する２Ｇ／３Ｇセルのための複数の第１のハンドオーバーコマンドメッセージを受信することを備え、ここにおいて、前記複数の対応する２Ｇ／３Ｇセルが前記２Ｇ／３Ｇセルを含み、ここにおいて、前記２Ｇ／３Ｇセルに対応する前記第１のハンドオーバーコマンドが前記複数の第１のハンドオーバーコマンドメッセージ内に含まれ、
ここにおいて、前記方法が、前記複数の対応する２Ｇ／３Ｇセルに関連する測定に少なくとも部分的に基づいて、前記複数の対応する２Ｇ／３Ｇセルから前記２Ｇ／３Ｇセルを選択することをさらに備え、
ここにおいて、前記ＵＥが、前記複数の対応する２Ｇ／３Ｇセルから前記２Ｇ／３Ｇセルを選択することに少なくとも部分的に基づいて、前記２Ｇ／３Ｇセルに関する前記測定報告を提供するように構成される、請求項１に記載の方法。
【請求項１０】
前記ＵＥが、前記２Ｇ／３Ｇセルに対応する前記第１のハンドオーバーコマンドメッセージを実行することに少なくとも部分的に基づいて、前記２Ｇ／３Ｇセルに同調するように構成される、請求項９に記載の方法。
【請求項１１】
前記複数の第１のハンドオーバーコマンドメッセージが、前記４Ｇ／ＬＴＥデバイスを介して無線ネットワークコントローラから受信される、請求項９に記載の方法。
【請求項１２】
前記５Ｇ／ＮＲ基地局とのエアインターフェース接続を解除することをさらに備える、請求項１に記載の方法。
【請求項１３】
前記５Ｇ／ＮＲ基地局が、前記４Ｇ／ＬＴＥデバイスとコロケートされる、請求項１に記載の方法。
【請求項１４】
４Ｇ／ロングタームエボリューション（ＬＴＥ）デバイスによって実施されるワイヤレス通信の方法であって、
そのセルを介してユーザ機器（ＵＥ）がコールを実施することになる２Ｇ／３Ｇセルを識別するために測定構成を識別する第１のメッセージを提供することと、
ここにおいて、前記第１のメッセージが５Ｇ／新無線（ＮＲ）基地局を介して前記ＵＥに提供される、
前記測定構成に少なくとも部分的に基づいて前記５Ｇ／ＮＲ基地局を介して、前記２Ｇ／３Ｇセルに関する測定報告を受信することと、
前記コールを実施するために前記ＵＥの前記２Ｇ／３Ｇセルへのハンドオーバーを構成するための第２のメッセージを提供することとを備え、
ここにおいて、前記第２のメッセージが前記５Ｇ／ＮＲ基地局を介して前記ＵＥに提供される、方法。
【請求項１５】
前記第１のメッセージが、単一無線音声通信継続（ＳＲＶＣＣ）が前記コールに関して構成されることになることを示すハンドオーバーメッセージに少なくとも部分的に基づいて提供される、請求項１４に記載の方法。
【請求項１６】
前記第１のメッセージを提供することが、
複数の２Ｇ／３Ｇセルの測定構成を識別する複数の第１のメッセージを提供することを備え、
ここにおいて、前記２Ｇ／３Ｇセルに関する前記測定報告が、前記ＵＥによる前記２Ｇ／３Ｇセルの選択に少なくとも部分的に基づいて受信される、請求項１４に記載の方法。
【請求項１７】
前記複数の２Ｇ／３Ｇセルに関するマルチターゲットハンドオーバー準備手順を実施することをさらに備える、請求項１６に記載の方法。
【請求項１８】
前記測定報告が、前記２Ｇ／３Ｇセルを含む複数の２Ｇ／３Ｇセルに関する測定情報を含み、
ここにおいて、前記２Ｇ／３Ｇセルが、前記測定情報に少なくとも部分的に基づいて前記ハンドオーバーのために選択される、請求項１４に記載の方法。
【請求項１９】
前記ＵＥの前記２Ｇ／３Ｇセルへのパケット交換ハンドオーバーの構成のためにトラッキングエリア更新（ＴＡＵ）メッセージを前記５Ｇ／ＮＲ基地局を介して受信することと、
前記ＵＥの前記２Ｇ／３Ｇセルへの前記パケット交換ハンドオーバーを構成することと、
前記ＵＥの前記２Ｇ／３Ｇセルへの前記パケット交換ハンドオーバーを引き起こすためにＴＡＵ受付メッセージを提供することとをさらに備える、請求項１４に記載の方法。
【請求項２０】
前記ＴＡＵメッセージが第１の非アクセス層（ＮＡＳ）コンテナ内で受信され、前記ＴＡＵ受付メッセージが第２のＮＡＳコンテナ内で提供され、
ここにおいて、前記第１のＮＡＳコンテナおよび前記第２のＮＡＳコンテナが、前記５Ｇ／ＮＲ基地局に対してトランスペアレントなコンテナ内に封入される、請求項１９に記載の方法。
【請求項２１】
前記第１のメッセージまたは前記第２のメッセージのうちの少なくとも１つが、４Ｇ／ＬＴＥ無線リソース制御（ＲＲＣ）メッセージ内にカプセル化され、ここにおいて、前記４Ｇ／ＬＴＥ  ＲＲＣメッセージが、５Ｇ／ＮＲ  ＲＲＣメッセージ内にカプセル化される、請求項１４に記載の方法。
【請求項２２】
前記測定報告が、前記５Ｇ／ＮＲ基地局に対してトランスペアレントであるコンテナ内にカプセル化される、請求項１４に記載の方法。
【請求項２３】
前記第１のメッセージまたは前記第２のメッセージのうちの少なくとも１つが、前記５Ｇ／ＮＲ基地局に対してトランスペアレントであるコンテナ内にカプセル化される、請求項１４に記載の方法。
【請求項２４】
前記５Ｇ／ＮＲ基地局が、前記４Ｇ／ＬＴＥデバイスとコロケートされる、請求項１４に記載の方法。
【請求項２５】
ワイヤレス通信のためのユーザ機器（ＵＥ）であって、
メモリと、前記メモリに動作可能に結合された１つまたは複数のプロセッサとを備え、前記メモリおよび前記１つまたは複数のプロセッサが、
そのセルを介して前記ＵＥがコールを実施することになる２Ｇ／３Ｇセルを識別するために、測定構成または測定ギャップのうちの少なくとも１つを識別する第１のハンドオーバーコマンドメッセージを、４Ｇ／ＬＴＥデバイスから５Ｇ／ＮＲ基地局を介して受信することと、
ここにおいて、前記第１のハンドオーバーコマンドメッセージが、４Ｇ／ＬＴＥを介した前記ＵＥの５Ｇ／ＮＲから２Ｇ／３Ｇへのハンドオーバーと関連付けられる、
前記測定構成および／または前記測定ギャップに少なくとも部分的に基づいて、前記２Ｇ／３Ｇセルに関する測定報告を、前記４Ｇ／ＬＴＥデバイスに前記５Ｇ／ＮＲ基地局を介して送信することと、
前記２Ｇ／３Ｇセルを介する前記コールの実施のために、前記５Ｇ／ＮＲ基地局を介して前記４Ｇ／ＬＴＥデバイスから受信された第２のハンドオーバーメッセージに少なくとも部分的に基づいて前記２Ｇ／３Ｇセルに同調することとを行うように構成される、ユーザ機器（ＵＥ）。
【請求項２６】
前記ＵＥが、前記５Ｇ／ＮＲから２Ｇ／３Ｇへのハンドオーバーを実施するときに、ＬＴＥエアインターフェースにアクセスしない、請求項２５に記載のＵＥ。
【請求項２７】
前記測定報告が、４Ｇ／ＬＴＥ無線リソース制御（ＲＲＣ）メッセージ内にカプセル化され、ここにおいて、前記４Ｇ／ＬＴＥ  ＲＲＣメッセージが、５Ｇ／ＮＲ  ＲＲＣメッセージ内にカプセル化される、請求項２５に記載のＵＥ。
【請求項２８】
前記測定報告が、前記５Ｇ／ＮＲ基地局に対してトランスペアレントであるコンテナ内にカプセル化される、請求項２５に記載のＵＥ。
【請求項２９】
前記第１のハンドオーバーコマンドメッセージまたは前記第２のハンドオーバーメッセージのうちの少なくとも１つが、前記５Ｇ／ＮＲ基地局に対してトランスペアレントであるコンテナ内にカプセル化される、請求項２５に記載のＵＥ。
【請求項３０】
非一時的コンピュータ可読媒体であって、ワイヤレス通信のための１つまたは複数の命令を記憶し、
前記１つまたは複数の命令が、ユーザ機器（ＵＥ）の１つまたは複数のプロセッサによって実行されたとき、前記１つまたは複数のプロセッサに、
そのセルを介して前記ＵＥがコールを実施することになる２Ｇ／３Ｇセルを識別するために、測定構成または測定ギャップのうちの少なくとも１つを識別する第１のハンドオーバーコマンドメッセージを、４Ｇ／ＬＴＥデバイスから５Ｇ／ＮＲ基地局を介して受信することと、
ここにおいて、前記第１のハンドオーバーコマンドメッセージが、４Ｇ／ＬＴＥを介した前記ＵＥの５Ｇ／ＮＲから２Ｇ／３Ｇへのハンドオーバーと関連付けられる、
前記測定構成および／または前記測定ギャップに少なくとも部分的に基づいて前記２Ｇ／３Ｇセルに関する測定報告を、前記４Ｇ／ＬＴＥデバイスに前記５Ｇ／ＮＲ基地局を介して送信することと、
前記２Ｇ／３Ｇセルを介する前記コールの実施のために、前記５Ｇ／ＮＲ基地局を介して前記４Ｇ／ＬＴＥデバイスから受信された第２のハンドオーバーメッセージに少なくとも部分的に基づいて前記２Ｇ／３Ｇセルに同調することとを行わせる、非一時的コンピュータ可読媒体。
【請求項３１】
前記ＵＥが、前記５Ｇ／ＮＲから２Ｇ／３Ｇへのハンドオーバーを実施するときに、ＬＴＥエアインターフェースにアクセスしない、請求項３０に記載の非一時的コンピュータ可読媒体。
【請求項３２】
前記測定報告が、４Ｇ／ＬＴＥ無線リソース制御（ＲＲＣ）メッセージ内にカプセル化され、ここにおいて、前記４Ｇ／ＬＴＥ  ＲＲＣメッセージが、５Ｇ／ＮＲ  ＲＲＣメッセージ内にカプセル化される、請求項３０に記載の非一時的コンピュータ可読媒体。
【請求項３３】
前記測定報告が、前記５Ｇ／ＮＲ基地局に対してトランスペアレントであるコンテナ内にカプセル化される、請求項３０に記載の非一時的コンピュータ可読媒体。
【請求項３４】
前記第１のハンドオーバーコマンドメッセージまたは前記第２のハンドオーバーメッセージのうちの少なくとも１つが、前記５Ｇ／ＮＲ基地局に対してトランスペアレントであるコンテナ内にカプセル化される、請求項３０に記載の非一時的コンピュータ可読媒体。
【請求項３５】
ワイヤレス通信のための装置であって、
そのセルを介して前記装置がコールを実施することになる２Ｇ／３Ｇセルを識別するために、測定構成または測定ギャップのうちの少なくとも１つを識別する第１のハンドオーバーコマンドメッセージを、４Ｇ／ロングタームエボリューション（ＬＴＥ）デバイスから５Ｇ／新無線（ＮＲ）基地局を介して受信するための手段と、
ここにおいて、前記第１のハンドオーバーコマンドメッセージが、４Ｇ／ＬＴＥを介した前記装置の５Ｇ／ＮＲから２Ｇ／３Ｇへのハンドオーバーと関連付けられる、
前記測定構成および／または前記測定ギャップに少なくとも部分的に基づいて、前記２Ｇ／３Ｇセルに関する測定報告を、前記４Ｇ／ＬＴＥデバイスに前記５Ｇ／ＮＲ基地局を介して送信するための手段と、
前記２Ｇ／３Ｇセルを介する前記コールの実施のために、前記５Ｇ／ＮＲ基地局を介して前記４Ｇ／ＬＴＥデバイスから受信された第２のハンドオーバーメッセージに少なくとも部分的に基づいて前記２Ｇ／３Ｇセルに同調するための手段とを備える、装置。
【請求項３６】
前記装置が、前記５Ｇ／ＮＲから２Ｇ／３Ｇへのハンドオーバーを実施するときに、ＬＴＥエアインターフェースにアクセスしない、請求項３５に記載の装置。
【請求項３７】
前記測定報告が、４Ｇ／ＬＴＥ無線リソース制御（ＲＲＣ）メッセージ内にカプセル化され、ここにおいて、前記４Ｇ／ＬＴＥ  ＲＲＣメッセージが、５Ｇ／ＮＲ  ＲＲＣメッセージ内にカプセル化される、請求項３５に記載の装置。
【請求項３８】
前記測定報告が、前記５Ｇ／ＮＲ基地局に対してトランスペアレントであるコンテナ内にカプセル化される、請求項３５に記載の装置。
【請求項３９】
前記第１のハンドオーバーコマンドメッセージまたは前記第２のハンドオーバーメッセージのうちの少なくとも１つが、前記５Ｇ／ＮＲ基地局に対してトランスペアレントであるコンテナ内にカプセル化される、請求項３５に記載の装置。
【請求項４０】
ワイヤレス通信のための４Ｇ／ロングタームエボリューション（ＬＴＥ）デバイスであって、
メモリと、前記メモリに動作可能に結合された１つまたは複数のプロセッサとを備え、前記メモリおよび前記１つまたは複数のプロセッサが、
そのセルを介してユーザ機器（ＵＥ）がコールを実施することになる２Ｇ／３Ｇセルを識別するために測定構成を識別する第１のメッセージを提供することと、
ここにおいて、前記第１のメッセージが５Ｇ／新無線（ＮＲ）基地局を介して前記ＵＥに提供される、
前記測定構成に少なくとも部分的に基づいて前記５Ｇ／ＮＲ基地局を介して、前記２Ｇ／３Ｇセルに関する測定報告を受信することと、
前記コールを実施するために前記ＵＥの前記２Ｇ／３Ｇセルへのハンドオーバーを構成するための第２のメッセージを提供することとを行うように構成され、
ここにおいて、前記第２のメッセージが前記５Ｇ／ＮＲ基地局を介して前記ＵＥに提供される、４Ｇ／ロングタームエボリューション（ＬＴＥ）デバイス。
【請求項４１】
前記第１のメッセージが、単一無線音声通信継続（ＳＲＶＣＣ）が前記コールに関して構成されることになることを示すハンドオーバーメッセージに少なくとも部分的に基づいて提供される、請求項４０に記載の４Ｇ／ＬＴＥデバイス。
【請求項４２】
前記第１のメッセージまたは前記第２のメッセージのうちの少なくとも１つが、４Ｇ／ＬＴＥ無線リソース制御（ＲＲＣ）メッセージ内にカプセル化され、前記４Ｇ／ＬＴＥ  ＲＲＣメッセージが、５Ｇ／ＮＲ  ＲＲＣメッセージ内にカプセル化される、請求項４０に記載の４Ｇ／ＬＴＥデバイス。
【請求項４３】
前記測定報告が、前記５Ｇ／ＮＲ基地局に対してトランスペアレントであるコンテナ内にカプセル化される、請求項４０に記載の４Ｇ／ＬＴＥデバイス。
【請求項４４】
前記第１のメッセージまたは前記第２のメッセージのうちの少なくとも１つが、前記５Ｇ／ＮＲ基地局に対してトランスペアレントであるコンテナ内にカプセル化される、請求項４０に記載の４Ｇ／ＬＴＥデバイス。
【請求項４５】
非一時的コンピュータ可読媒体であって、ワイヤレス通信のための１つまたは複数の命令を記憶し、
前記１つまたは複数の命令が、４Ｇ／ロングタームエボリューション（ＬＴＥ）デバイスの１つまたは複数のプロセッサによって実行されたとき、前記１つまたは複数のプロセッサに、
そのセルを介してユーザ機器（ＵＥ）がコールを実施することになる２Ｇ／３Ｇセルを識別するために測定構成を識別する第１のメッセージを提供することと、
ここにおいて、前記第１のメッセージが５Ｇ／新無線（ＮＲ）基地局を介して前記ＵＥに提供される、
前記測定構成に少なくとも部分的に基づいて前記５Ｇ／ＮＲ基地局を介して、前記２Ｇ／３Ｇセルに関する測定報告を受信することと、
前記コールを実施するために前記ＵＥの前記２Ｇ／３Ｇセルへのハンドオーバーを構成するための第２のメッセージを提供することとを行わせ、
ここにおいて、前記第２のメッセージが前記５Ｇ／ＮＲ基地局を介して前記ＵＥに提供される、非一時的コンピュータ可読媒体。
【請求項４６】
前記第１のメッセージが、単一無線音声通信継続（ＳＲＶＣＣ）が前記コールに関して構成されることになることを示すハンドオーバーメッセージに少なくとも部分的に基づいて提供される、請求項４５に記載の非一時的コンピュータ可読媒体。
【請求項４７】
前記第１のメッセージまたは前記第２のメッセージのうちの少なくとも１つが、４Ｇ／ＬＴＥ無線リソース制御（ＲＲＣ）メッセージ内にカプセル化され、ここにおいて、前記４Ｇ／ＬＴＥ  ＲＲＣメッセージが、５Ｇ／ＮＲ  ＲＲＣメッセージ内にカプセル化される、請求項４５に記載の非一時的コンピュータ可読媒体。
【請求項４８】
前記測定報告が、前記５Ｇ／ＮＲ基地局に対してトランスペアレントであるコンテナ内にカプセル化される、請求項４５に記載の非一時的コンピュータ可読媒体。
【請求項４９】
前記第１のメッセージまたは前記第２のメッセージのうちの少なくとも１つが、前記５Ｇ／ＮＲ基地局に対してトランスペアレントであるコンテナ内にカプセル化される、請求項４５に記載の非一時的コンピュータ可読媒体。
【請求項５０】
ワイヤレス通信のための装置であって、
そのセルを介してユーザ機器（ＵＥ）がコールを実施することになる２Ｇ／３Ｇセルを識別するために測定構成を識別する第１のメッセージを提供するための手段と、
ここにおいて、前記第１のメッセージが５Ｇ／新無線（ＮＲ）基地局を介して前記ＵＥに提供される、
前記測定構成に少なくとも部分的に基づいて前記５Ｇ／ＮＲ基地局を介して、前記２Ｇ／３Ｇセルに関する測定報告を受信するための手段と、
前記コールを実施するために前記ＵＥの前記２Ｇ／３Ｇセルへのハンドオーバーを構成するための第２のメッセージを提供するための手段とを備え、
ここにおいて、前記第２のメッセージが前記５Ｇ／ＮＲ基地局を介して前記ＵＥに提供される、装置。
【請求項５１】
前記第１のメッセージが、単一無線音声通信継続（ＳＲＶＣＣ）が前記コールに関して構成されることになることを示すハンドオーバーメッセージに少なくとも部分的に基づいて提供される、請求項５０に記載の装置。
【請求項５２】
前記第１のメッセージまたは前記第２のメッセージのうちの少なくとも１つが、４Ｇ／ＬＴＥ無線リソース制御（ＲＲＣ）メッセージ内にカプセル化され、ここにおいて、前記４Ｇ／ＬＴＥ  ＲＲＣメッセージが、５Ｇ／ＮＲ  ＲＲＣメッセージ内にカプセル化される、請求項５０に記載の装置。
【請求項５３】
前記測定報告が、前記５Ｇ／ＮＲ基地局に対してトランスペアレントであるコンテナ内にカプセル化される、請求項５０に記載の装置。
【請求項５４】
前記第１のメッセージまたは前記第２のメッセージのうちの少なくとも１つが、前記５Ｇ／ＮＲ基地局に対してトランスペアレントであるコンテナ内にカプセル化される、請求項５０に記載の装置。
【発明の詳細な説明】
【技術分野】
【０００１】
関連出願への相互参照
[0001]本出願は、参照により本明細書に明確に組み込まれる、
２０１７年１０月１６日に出願された、「ＴＥＣＨＮＩＱＵＥＳ  ＡＮＤ  ＡＰＰＡＲＡＴＵＳＥＳ  ＦＯＲ  ５Ｇ  ＴＯ  ２Ｇ／３Ｇ  ＦＡＬＬＢＡＣＫ  ＷＩＴＨＯＵＴ  ＡＣＣＥＳＳＩＮＧ  ＡＮ  ＬＴＥ  ＡＩＲ  ＩＮＴＥＲＦＡＣＥ」と題するＰＣＴ出願第ＰＣＴ／ＣＮ２０１７／１０６２６４号の優先権を主張する。
【０００２】
[0002]本開示の態様は、概して、ワイヤレス通信に関し、より詳細には、ロングタームエボリューション（ＬＴＥ（登録商標））エアインターフェースにアクセスしない５Ｇから２Ｇ／３Ｇへのフォールバックのための技法および装置に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力など）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ）を含む。ＬＴＥ／ＬＴＥアドバンストは、第３世代パートナーシッププロジェクト（３ＧＰＰ（登録商標））によって公表されたユニバーサル移動電気通信システム（ＵＭＴＳ）モバイル規格の拡張のセットである。
【０００４】
[0004]ワイヤレス通信ネットワークは、いくつかのユーザ機器（ＵＥ）のための通信をサポートできるいくつかの基地局（ＢＳ）を含んでよい。ユーザ機器（ＵＥ）は、ダウンリンクおよびアップリンクを介して基地局（ＢＳ）と通信し得る。ダウンリンク（または、順方向リンク）はＢＳからＵＥへの通信リンクを指し、アップリンク（または、逆方向リンク）はＵＥからＢＳへの通信リンクを指す。本明細書でより詳細に説明するように、ＢＳは、ノードＢ、ｇＮＢ、アクセスポイント（ＡＰ）、無線ヘッド、送信受信ポイント（ＴＲＰ）、新無線（ＮＲ）  ＢＳ、５ＧノードＢなどと呼ばれることがある。
【０００５】
[0005]上記の多元接続技術は、異なるユーザ機器が都市、国家、地域、さらには地球規模で通信することを可能にする共通プロトコルを提供するために、様々な電気通信規格において採用されている。５Ｇと呼ばれることもある新無線（ＮＲ）は、第３世代パートナーシッププロジェクト（３ＧＰＰ）によって公表されたＬＴＥモバイル規格の拡張のセットである。ＮＲは、スペクトル効率を改善すること、コストを下げること、サービスを改善すること、新たなスペクトルを利用すること、ならびにダウンリンク（ＤＬ）上でサイクリックプレフィックス（ＣＰ）を伴う直交周波数分割多重（ＯＦＤＭ）（ＣＰ−ＯＦＤＭ：orthogonal frequency division multiplexing with a cyclic prefix）を使用して、アップリンク（ＵＬ）上でＣＰ−ＯＦＤＭおよび／またはＳＣ−ＦＤＭ（たとえば、離散フーリエ変換拡散ＯＤＦＭ（ＤＦＴ−ｓ−ＯＦＤＭ：discrete Fourier transform spread OFDM）としても知られている）を使用して、またビームフォーミング、多入力多出力（ＭＩＭＯ）アンテナ技術、およびキャリアアグリゲーションをサポートして、他のオープン規格とよりよく統合することによって、モバイルブロードバンドインターネットアクセスをよりよくサポートするように設計されている。しかしながら、モバイルブロードバンドアクセスに対する需要が高まり続けるにつれて、ＬＴＥ技術およびＮＲ技術におけるさらなる改善に対する必要性が存在する。好ましくは、これらの改善は、これらの技術を採用する他の多元接続技術および電気通信規格に適用可能であるべきである。
【発明の概要】
【０００６】
[0006]いくつかの態様では、ユーザ機器（ＵＥ）によって実施されるワイヤレス通信の方法は、そのセルを介してＵＥがコールを実施することになる２Ｇ／３Ｇセルを識別するために測定構成または測定ギャップのうちの少なくとも１つを識別する第１のハンドオーバーコマンドメッセージを４Ｇ／ＬＴＥデバイスから５Ｇ／ＮＲ基地局を介して受信することと、ここにおいて、第１のハンドオーバーコマンドメッセージは４Ｇ／ＬＴＥを介したＵＥの５Ｇ／ＮＲから２Ｇ／３Ｇへのハンドオーバーと関連付けられる、測定構成および／または測定ギャップに少なくとも部分的に基づいて２Ｇ／３Ｇセルに関する測定報告を４Ｇ／ＬＴＥデバイスに５Ｇ／ＮＲ基地局を介して送信することと、２Ｇ／３Ｇセルを介するコールの実施のために５Ｇ／ＮＲ基地局を介して４Ｇ／ＬＴＥデバイスから受信された第２のハンドオーバーメッセージに少なくとも部分的に基づいて２Ｇ／３Ｇセルに同調することとを含み得る。
【０００７】
[0007]いくつかの態様では、ワイヤレス通信のためのユーザ機器（ＵＥ）は、メモリと、メモリに動作可能に結合された１つまたは複数のプロセッサとを含み得る。メモリおよび１つまたは複数のプロセッサは、そのセルを介してＵＥがコールを実施することになる２Ｇ／３Ｇセルを識別するために測定構成または測定ギャップのうちの少なくとも１つを識別する第１のハンドオーバーコマンドメッセージを４Ｇ／ＬＴＥデバイスから５Ｇ／ＮＲ基地局を介して受信することと、ここにおいて、第１のハンドオーバーコマンドメッセージは４Ｇ／ＬＴＥを介したＵＥの５Ｇ／ＮＲから２Ｇ／３Ｇへのハンドオーバーと関連付けられる、測定構成および／または測定ギャップに少なくとも部分的に基づいて２Ｇ／３Ｇセルに関する測定報告を４Ｇ／ＬＴＥデバイスに５Ｇ／ＮＲ基地局を介して送信することと、２Ｇ／３Ｇセルを介するコールの実施のために５Ｇ／ＮＲ基地局を介して４Ｇ／ＬＴＥデバイスから受信された第２のハンドオーバーメッセージに少なくとも部分的に基づいて２Ｇ／３Ｇセルに同調することとを行うように構成され得る。
【０００８】
[0008]いくつかの態様では、非一時的コンピュータ可読媒体は、ワイヤレス通信のための１つまたは複数の命令を記憶し得る。１つまたは複数の命令は、ユーザ機器（ＵＥ）の１つまたは複数のプロセッサによって実行されたとき、１つまたは複数のプロセッサに、そのセルを介してＵＥがコールを実施することになる２Ｇ／３Ｇセルを識別するために測定構成または測定ギャップのうちの少なくとも１つを識別する第１のハンドオーバーコマンドメッセージを４Ｇ／ＬＴＥデバイスから５Ｇ／ＮＲ基地局を介して受信することと、ここにおいて、第１のハンドオーバーコマンドメッセージは４Ｇ／ＬＴＥを介したＵＥの５Ｇ／ＮＲから２Ｇ／３Ｇへのハンドオーバーと関連付けられる、測定構成および／または測定ギャップに少なくとも部分的に基づいて２Ｇ／３Ｇセルに関する測定報告を４Ｇ／ＬＴＥデバイスに５Ｇ／ＮＲ基地局を介して送信することと、２Ｇ／３Ｇセルを介するコールの実施のために５Ｇ／ＮＲ基地局を介して４Ｇ／ＬＴＥデバイスから受信された第２のハンドオーバーメッセージに少なくとも部分的に基づいて２Ｇ／３Ｇセルに同調することとを行わせ得る。
【０００９】
[0009]いくつかの態様では、ワイヤレス通信のための装置は、そのセルを介して装置がコールを実施することになる２Ｇ／３Ｇセルを識別するために測定構成または測定ギャップのうちの少なくとも１つを識別する第１のハンドオーバーコマンドメッセージを４Ｇ／ＬＴＥデバイスから５Ｇ／ＮＲ基地局を介して受信するための手段と、ここにおいて、第１のハンドオーバーコマンドメッセージは４Ｇ／ＬＴＥを介した装置の５Ｇ／ＮＲから２Ｇ／３Ｇへのハンドオーバーと関連付けられる、測定構成および／または測定ギャップに少なくとも部分的に基づいて２Ｇ／３Ｇセルに関する測定報告を４Ｇ／ＬＴＥデバイスに５Ｇ／ＮＲ基地局を介して送信するための手段と、２Ｇ／３Ｇセルを介するコールの実施のために５Ｇ／ＮＲ基地局を介して４Ｇ／ＬＴＥデバイスから受信された第２のハンドオーバーメッセージに少なくとも部分的に基づいて２Ｇ／３Ｇセルに同調するための手段とを含み得る。
【００１０】
[0010]いくつかの態様では、４Ｇ／ＬＴＥデバイスによって実施されるワイヤレス通信の方法は、そのセルを介してＵＥがコールを実施することになる２Ｇ／３Ｇセルを識別するために測定構成を識別する第１のメッセージを提供することと、ここにおいて、第１のメッセージは５Ｇ／ＮＲ基地局を介してＵＥに提供される、測定構成に少なくとも部分的に基づいて５Ｇ／ＮＲ基地局を介して２Ｇ／３Ｇセルに関する測定報告を受信することと、コールを実施するために２Ｇ／３ＧセルへのＵＥのハンドオーバーを構成するための第２のメッセージを提供することとを含んでよく、第２のメッセージは５Ｇ／ＮＲ基地局を介してＵＥに提供される。
【００１１】
[0011]いくつかの態様では、ワイヤレス通信のための４Ｇ／ＬＴＥデバイスは、メモリと、メモリに動作可能に結合された１つまたは複数のプロセッサとを含み得る。メモリおよび１つまたは複数のプロセッサは、そのセルを介してＵＥがコールを実施することになる２Ｇ／３Ｇセルを識別するために測定構成を識別する第１のメッセージを提供することと、ここにおいて、第１のメッセージは５Ｇ／ＮＲ基地局を介してＵＥに提供される、測定構成に少なくとも部分的に基づいて５Ｇ／ＮＲ基地局を介して２Ｇ／３Ｇセルに関する測定報告を受信することと、コールを実施するために２Ｇ／３ＧセルへのＵＥのハンドオーバーを構成するための第２のメッセージを提供することとを行うように構成されてよく、第２のメッセージは５Ｇ／ＮＲ基地局を介してＵＥに提供される。
【００１２】
[0012]いくつかの態様では、非一時的コンピュータ可読媒体は、ワイヤレス通信のための１つまたは複数の命令を記憶し得る。１つまたは複数の命令は、４Ｇ／ＬＴＥデバイスの１つまたは複数のプロセッサによって実行されたとき、１つまたは複数のプロセッサに、そのセルを介してＵＥがコールを実施することになる２Ｇ／３Ｇセルを識別するために測定構成を識別する第１のメッセージを提供することと、ここにおいて、第１のメッセージは５Ｇ／ＮＲ基地局を介してＵＥに提供される、測定構成に少なくとも部分的に基づいて５Ｇ／ＮＲ基地局を介して２Ｇ／３Ｇセルに関する測定報告を受信することと、コールを実施するために２Ｇ／３ＧセルへのＵＥのハンドオーバーを構成するための第２のメッセージを提供することとを行わせてよく、第２のメッセージは５Ｇ／ＮＲ基地局を介してＵＥに提供される。
【００１３】
[0013]いくつかの態様では、ワイヤレス通信のための装置は、そのセルを介してＵＥがコールを実施することになる２Ｇ／３Ｇセルを識別するために測定構成を識別する第１のメッセージを提供するための手段と、ここにおいて、第１のメッセージは５Ｇ／ＮＲ基地局を介してＵＥに提供される、測定構成に少なくとも部分的に基づいて５Ｇ／ＮＲ基地局を介して２Ｇ／３Ｇセルに関する測定報告を受信するための手段と、コールを実施するために２Ｇ／３ＧセルへのＵＥのハンドオーバーを構成するための第２のメッセージを提供するための手段とを含んでよく、第２のメッセージは５Ｇ／ＮＲ基地局を介してＵＥに提供される。
【００１４】
[0014]態様は、概して、添付の図面および明細書に関して本明細書で実質的に説明され、添付の図面および明細書によって示されるように、方法と、装置と、システムと、コンピュータプログラム製品と、非一時的コンピュータ可読媒体と、ユーザ機器と、基地局と、ワイヤレス通信デバイスと、処理システムとを含む。
【００１５】
[0015]上記は、以下の発明を実施するための形態がよりよく理解され得るように、本開示による例の特徴および技術的利点をかなり広く概説している。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付図に関して検討すると以下の説明からよりよく理解されよう。図の各々は、例示および説明のために提供され、特許請求の範囲の限定の定義として提供されるものではない。
【００１６】
[0016]本開示の上記で列挙された特徴が詳細に理解され得るように、添付の図面にその一部が示される態様を参照することにより、上記で簡潔に要約されたより具体的な説明が得られてよい。ただし、その説明は他の等しく有効な態様に通じ得るので、添付の図面は、本開示のいくつかの典型的な態様のみを示し、したがって、本開示の範囲を限定するものと見なされるべきではないことに留意されたい。異なる図面中の同じ参照番号は、同じまたは同様の要素を識別し得る。
【図面の簡単な説明】
【００１７】
【図１】[0017]本開示のいくつかの態様による、ワイヤレス通信ネットワークの一例を概念的に示すブロック図。
【図２】[0018]本開示のいくつかの態様による、ワイヤレス通信ネットワークにおいてユーザ機器（ＵＥ）と通信している基地局の一例を概念的に示すブロック図。
【図３Ａ】[0019]本開示の様々な態様による、ＬＴＥエアインターフェースにアクセスしない５Ｇから２Ｇ／３Ｇへのフォールバックに対するコールフローの例を示す図。
【図３Ｂ】本開示の様々な態様による、ＬＴＥエアインターフェースにアクセスしない５Ｇから２Ｇ／３Ｇへのフォールバックに対するコールフローの例を示す図。
【図４Ａ】[0020]本開示の様々な態様による、ＬＴＥエアインターフェースにアクセスしない５Ｇから２Ｇ／３Ｇへのフォールバックに対する別のコールフローの例を示す図。
【図４Ｂ】本開示の様々な態様による、ＬＴＥエアインターフェースにアクセスしない５Ｇから２Ｇ／３Ｇへのフォールバックに対する別のコールフローの例を示す図。
【図５】[0021]本開示の様々な態様による、ＬＴＥエアインターフェースにアクセスしない５Ｇから２Ｇ／３Ｇへのフォールバックのためのまた別のコールフローの一例を示す図。
【図６】[0022]本開示の様々な態様による、たとえば、ユーザ機器によって実施される例示的なプロセスを示す図。
【図７】[0023]本開示の様々な態様による、たとえば、４Ｇ／ＬＴＥデバイスによって実施される例示的なプロセスを示す図。
【発明を実施するための形態】
【００１８】
[0024]本開示の様々な態様は、添付の図面を参照しながら以下でより完全に説明される。しかしながら、本開示は、多くの異なる形態で具現化されてもよく、本開示の全体にわたって提示されるいずれかの特定の構造または機能に限定されると解釈されるべきでない。むしろ、これらの態様は、本開示が、完全で完璧となるように、および当業者に完全に本開示の範囲を伝えるように提供される。本明細書の教示に基づいて、当業者は、本開示の範囲が、本開示のその他の態様とは無関係に、または組み合わされて実施されるのかどうかにかかわらず、本明細書に開示される本開示のいかなる態様をもカバーすることが意図されていることを認識されたい。たとえば、本明細書に記載の態様をいくつ使用しても、装置は実装され得、または方法は実施され得る。加えて、本開示の範囲は、本明細書に述べられる本開示の様々な態様に加えて、またはその態様以外の他の構造、機能性、または構造および機能性を使用して実行される装置あるいは方法をカバーすることが意図されている。本明細書に開示される開示のいかなる態様も、請求項の１つまたは複数の要素によって具現化され得ることを理解されたい。
【００１９】
[0025]ここで、様々な装置および技法を参照しながら、電気通信システムのいくつかの態様が提示される。これらの装置および技法は、以下の発明を実施するための形態において説明され、（「要素」と総称される）様々なブロック、モジュール、構成要素、回路、ステップ、プロセス、アルゴリズムなどによって添付の図面に示される。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課された設計制約に依存する。
【００２０】
[0026]３Ｇおよび／または４Ｇのワイヤレス技術に共通に関連する用語を使用して本明細書で諸態様が説明されることがあるが、本開示の態様が、ＮＲ技術を含む、５Ｇ以降などの他世代ベースの通信システムにおいて適用され得ることに留意されたい。
【００２１】
[0027]図１は、本開示の態様が実践され得るネットワーク１００を示す図である。ネットワーク１００は、ＬＴＥネットワーク、または５ＧもしくはＮＲネットワークなどの何らかの他のワイヤレスネットワークであってよい。ワイヤレスネットワーク１００は、いくつかのＢＳ１１０（ＢＳ１１０ａ、ＢＳ１１０ｂ、ＢＳ１１０ｃ、およびＢＳ１１０ｄとして示す）と他のネットワークエンティティとを含んでよい。ＢＳは、ユーザ機器（ＵＥ）と通信するエンティティであり、基地局、ＮＲ  ＢＳ、ノードＢ、ｇＮＢ、５ＧノードＢ（ＮＢ）、アクセスポイント、送信受信ポイント（ＴＲＰ）などと呼ばれることもある。各ＢＳは、特定の地理的エリアに通信カバレージを提供し得る。３ＧＰＰでは、「セル」という用語は、この用語が使用されるコンテキストに応じて、このカバレージエリアをサービスするＢＳおよび／またはＢＳサブシステムのカバレージエリアを指すことができる。
【００２２】
[0028]ＢＳは、マクロセル、ピコセル、フェムトセル、および／または別のタイプのセルのための通信カバレージを提供し得る。マクロセルは、比較的大きい地理的エリア（たとえば、半径数キロメートル）をカバーしてよく、サービスに加入しているＵＥによる無制限アクセスを可能にし得る。ピコセルは、比較的小さい地理的エリアをカバーしてよく、サービスに加入しているＵＥによる無制限アクセスを可能にし得る。フェムトセルは、比較的小さい地理的エリア（たとえば、自宅）をカバーしてよく、フェムトセルとの関連付けを有するＵＥ（たとえば、限定加入者グループ（ＣＳＧ：Closed Subscriber Group）の中のＵＥ）による制限付きアクセスを可能にし得る。マクロセル用のＢＳはマクロＢＳと呼ばれることがある。ピコセル用のＢＳはピコＢＳと呼ばれることがある。フェムトセル用のＢＳは、フェムトＢＳまたはホームＢＳと呼ばれることがある。図１に示す例では、ＢＳ１１０ａはマクロセル１０２ａ用のマクロＢＳであってよく、ＢＳ１１０ｂはピコセル１０２ｂ用のピコＢＳであってよく、ＢＳ１１０ｃはフェムトセル１０２ｃ用のフェムトＢＳであってよい。ＢＳは、１つまたは複数（たとえば、３つ）のセルをサポートすることができる。「ｅＮＢ」、「基地局」、「ＮＲ  ＢＳ」、「ｇＮＢ」、「ＴＲＰ」、「ＡＰ」、「ノードＢ」、「５Ｇ  ＮＢ」、および「セル」という用語は、本明細書で互換的に使用され得る。
【００２３】
[0029]いくつかの態様では、セルは必ずしも固定であるとは限らない場合があり、セルの地理的エリアはモバイルＢＳのロケーションに従って移動することがある。いくつかの態様では、ＢＳは、任意の好適なトランスポートネットワークを使用して、直接物理接続、仮想ネットワークなどの様々なタイプのバックホールインターフェースを通じて、互いに、および／またはアクセスネットワーク１００の中の１つもしくは複数の他のＢＳもしくはネットワークノード（図示せず）に相互接続され得る。
【００２４】
[0030]ワイヤレスネットワーク１００はまた、中継局を含んでよい。中継局とは、上流局（たとえば、ＢＳまたはＵＥ）からのデータの送信を受信でき、そのデータの送信を下流局（たとえば、ＵＥまたはＢＳ）へ送ることができるエンティティである。中継局はまた、他のＵＥのための送信を中継できるＵＥであってよい。図１に示す例では、中継局１１０ｄは、ＢＳ１１０ａとＵＥ１２０ｄとの間の通信を容易にするためにマクロＢＳ１１０ａおよびＵＥ１２０ｄと通信し得る。中継局は、中継ＢＳ、中継基地局、リレーなどと呼ばれることもある。
【００２５】
[0031]ワイヤレスネットワーク１００は、異なるタイプのＢＳ、たとえば、マクロＢＳ、ピコＢＳ、フェムトＢＳ、中継ＢＳなどを含む異種ネットワークであってよい。これらの様々なタイプのＢＳは、様々な送信電力レベル、様々なカバレージエリア、およびワイヤレスネットワーク１００における干渉に対する様々な影響を有し得る。たとえば、マクロＢＳは、高い送信電力レベル（たとえば、５〜４０ワット）を有してよく、ピコＢＳ、フェムトＢＳ、および中継ＢＳは、もっと低い送信電力レベル（たとえば、０．１〜２ワット）を有してよい。
【００２６】
[0032]ネットワークコントローラ１３０は、１組のＢＳに結合してよく、これらのＢＳのための協調と制御とを提供し得る。ネットワークコントローラ１３０は、バックホールを経由してＢＳと通信し得る。ＢＳはまた、たとえば、ワイヤレスまたはワイヤラインのバックホールを経由して互いに直接または間接的に通信し得る。
【００２７】
[0033]ＵＥ１２０（たとえば、１２０ａ、１２０ｂ、１２０ｃ）はワイヤレスネットワーク１００全体にわたって分散されてよく、各ＵＥは固定式またはモバイルであってよい。ＵＥは、アクセス端末、端末、移動局、加入者ユニット、局などと呼ばれることもある。ＵＥは、セルラーフォン（たとえば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスもしくは医療機器、生体認証センサー／生体認証デバイス、ウェアラブルデバイス（スマートウォッチ、スマート衣類、スマートグラス、スマートリストバンド、スマートジュエリー（たとえば、スマートリング、スマートブレスレット））、エンターテインメントデバイス（たとえば、音楽デバイスもしくはビデオデバイス、または衛星ラジオ）、車両構成要素もしくは車両センサー、スマートメーター／スマートセンサー、工業用製造機器、全地球測位システムデバイス、またはワイヤレス媒体もしくは有線媒体を介して通信するように構成されている任意の他の好適なデバイスであってよい。
【００２８】
[0034]いくつかのＵＥは、マシンタイプ通信（ＭＴＣ）または発展型もしくは拡張マシンタイプ通信（ｅＭＴＣ）ＵＥと見なされてよい。ＭＴＣ  ＵＥおよびｅＭＴＣ  ＵＥは、たとえば、基地局、別のデバイス（たとえば、リモートデバイス）、または何らかの他のエンティティと通信し得る、センサー、メーター、モニタ、ロケーションタグなどの、リモートデバイス、ドローン、ロボットを含む。ワイヤレスノードは、たとえば、有線通信リンクまたはワイヤレス通信リンクを介した、ネットワーク（たとえば、インターネットまたはセルラーネットワークなどのワイドエリアネットワーク）のための、またはネットワークへの接続性を提供し得る。いくつかのＵＥは、モノのインターネット（ＩｏＴ）デバイスと見なされてよく、および／またはＮＢ−ＩｏＴ（狭帯域モノのインターネット）デバイスとして実装され得るように実装されてよい。いくつかのＵＥは、顧客構内機器（ＣＰＥ：Customer Premises Equipment）と見なされてよい。ＵＥ１２０は、プロセッサ構成要素、メモリ構成要素など、ＵＥ１２０の構成要素を収容する筐体の内部に含まれ得る。
【００２９】
[0035]概して、任意の数のワイヤレスネットワークが所与の地理的エリアの中に展開され得る。各ワイヤレスネットワークは、特定の無線アクセス技術（ＲＡＴ）をサポートすることができ、１つまたは複数の周波数上で動作することができる。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間の干渉を回避するために、所与の地理的エリアの中で単一のＲＡＴをサポートし得る。場合によっては、ＮＲまたは５ＧのＲＡＴネットワークが展開されてよい。
【００３０】
[0036]いくつかの態様では、エアインターフェースへのアクセスがスケジュールされてよく、スケジューリングエンティティ（たとえば、基地局）が、スケジューリングエンティティのサービスエリアすなわちセル内の一部または全部のデバイスおよび機器の間での通信のためのリソースを割り振る。本開示内では、以下でさらに説明するように、スケジューリングエンティティは、１つまたは複数の従属エンティティのためのリソースをスケジュールすること、割り当てること、再構成すること、および解放することを担当し得る。すなわち、スケジュールされた通信のために、従属エンティティは、スケジューリングエンティティによって割り振られたリソースを利用する。
【００３１】
[0037]基地局は、スケジューリングエンティティとして機能し得る唯一のエンティティではない。すなわち、いくつかの態様では、ＵＥが、１つまたは複数の従属エンティティ（たとえば、１つまたは複数の他のＵＥ）のためのリソースをスケジュールする、スケジューリングエンティティとして機能し得る。この例では、ＵＥはスケジューリングエンティティとして機能しており、他のＵＥは、ワイヤレス通信のためにＵＥによってスケジュールされたリソースを利用する。ＵＥは、ピアツーピア（Ｐ２Ｐ）ネットワークの中で、および／またはメッシュネットワークの中で、スケジューリングエンティティとして機能し得る。メッシュネットワーク例では、ＵＥは、スケジューリングエンティティと通信することに加えて、随意に互いに直接通信し得る。
【００３２】
[0038]したがって、時間周波数リソースへのスケジュール型アクセスを伴い、セルラー構成と、Ｐ２Ｐ構成と、メッシュ構成とを有するワイヤレス通信ネットワークでは、スケジューリングエンティティおよび１つまたは複数の従属エンティティは、スケジュールされたリソースを利用して通信し得る。
【００３３】
[0039]上記のように、図１は一例として提供されるにすぎない。他の例が可能であり、図１に関して説明されたものと異なってよい。
【００３４】
[0040]図２は、図１における基地局のうちの１つおよびＵＥのうちの１つであってよいＢＳ１１０およびＵＥ１２０の設計２００のブロック図を示す。ＢＳ１１０はＴ個のアンテナ２３４ａ〜２３４ｔを備えることができ、ＵＥ１２０はＲ個のアンテナ２５２ａ〜２５２ｒを備えることができ、ただし、一般にＴ≧１およびＲ≧１である。
【００３５】
[0041]ＢＳ１１０において、送信プロセッサ２２０は、１つまたは複数のＵＥのためにデータソース２１２からデータを受け取ってよく、ＵＥから受信されたチャネル品質インジケータ（ＣＱＩ：channel quality indicator）に少なくとも部分的に基づいてＵＥごとに１つまたは複数の変調およびコーディング方式（ＭＣＳ：modulation and coding scheme）を選択してよく、そのＵＥのために選択されたＭＣＳに少なくとも部分的に基づいてＵＥごとにデータを処理（たとえば、符号化および変調）してよく、すべてのＵＥのためのデータシンボルを提供してよい。送信プロセッサ２２０はまた、（たとえば、準静的リソース区分情報（ＳＲＰＩ：semi-static resource partitioning information）などのための）システム情報と、制御情報（たとえば、ＣＱＩ要求、許可、上位レイヤシグナリングなど）とを処理してよく、オーバーヘッドシンボルと制御シンボルとを提供してよい。送信プロセッサ２２０はまた、基準信号（たとえば、セル固有基準信号（ＣＲＳ））および同期信号（たとえば、１次同期信号（ＰＳＳ：primary synchronization signal）および２次同期信号（ＳＳＳ：secondary synchronization signal））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行してよく、Ｔ個の出力シンボルストリームをＴ個の変調器（ＭＯＤ）２３２ａ〜２３２ｔに提供してよい。各変調器２３２は、出力サンプルストリームを取得するためにそれぞれの出力シンボルストリームを（たとえば、ＯＦＤＭなどのために）処理してよい。各変調器２３２は、ダウンリンク信号を取得するために出力サンプルストリームをさらに処理（たとえば、アナログに変換、増幅、フィルタ処理、およびアップコンバート）してよい。変調器２３２ａ〜２３２ｔからのＴ個のダウンリンク信号は、それぞれ、Ｔ個のアンテナ２３４ａ〜２３４ｔを介して送信されてよい。以下でより詳細に説明するいくつかの態様によれば、同期信号は、追加情報を伝達するためにロケーション符号化を用いて生成され得る。
【００３６】
[0042]ＵＥ１２０において、アンテナ２５２ａ〜２５２ｒは、ＢＳ１１０および／または他の基地局からダウンリンク信号を受信してよく、それぞれ、受信信号を復調器（ＤＥＭＯＤ）２５４ａ〜２５４ｒに提供してよい。各復調器２５４は、入力サンプルを取得するために受信信号を調整（たとえば、フィルタ処理、増幅、ダウンコンバート、およびデジタル化）してよい。各復調器２５４は、受信シンボルを取得するために入力サンプルを（たとえば、ＯＦＤＭなどのために）さらに処理してよい。ＭＩＭＯ検出器２５６は、すべてのＲ個の復調器２５４ａ〜２５４ｒから受信シンボルを取得してよく、適用可能な場合、受信シンボルに対してＭＩＭＯ検出を実行してよく、検出されたシンボルを提供してよい。受信プロセッサ２５８は、検出されたシンボルを処理（たとえば、復調および復号）し、ＵＥ１２０のための復号されたデータをデータシンク２６０に提供し、復号された制御信号およびシステム情報をコントローラ／プロセッサ２８０に提供し得る。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）などを決定し得る。
【００３７】
[0043]アップリンク上では、ＵＥ１２０において、送信プロセッサ２６４は、データソース２６２からデータを、またコントローラ／プロセッサ２８０から（たとえば、ＲＳＲＰ、ＲＳＳＩ、ＲＳＲＱ、ＣＱＩなどを備える報告のための）制御情報を、受け取ってよく処理してよい。送信プロセッサ２６４はまた、１つまたは複数の基準信号のための基準シンボルを生成してよい。送信プロセッサ２６４からのシンボルは、適用可能な場合、ＴＸ  ＭＩＭＯプロセッサ２６６によってプリコーディングされてよく、変調器２５４ａ〜２５４ｒによって（たとえば、ＤＦＴ−ｓ−ＯＦＤＭ、ＣＰ−ＯＦＤＭなどのために）さらに処理されてよく、ＢＳ１１０へ送信されてよい。ＢＳ１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。受信プロセッサ２３８は、復号データをデータシンク２３９に、また復号された制御情報をコントローラ／プロセッサ２４０に提供してよい。ＢＳ１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００３８】
[0044]いくつかの態様では、ＵＥ１２０の１つまたは複数の構成要素は、筐体の中に含まれ得る。ＢＳ１１０のコントローラ／プロセッサ２４０、ＵＥ１２０のコントローラ／プロセッサ２８０および／または図２の任意の他の構成要素は、本明細書の他の場所でより詳細に説明するように、ＬＴＥエアインターフェースにアクセスしない５Ｇから２Ｇ／３Ｇへのフォールバックと関連付けられた１つまたは複数の技法を実施し得る。たとえば、ＢＳ１１０のコントローラ／プロセッサ２４０、ＵＥ１２０のコントローラ／プロセッサ２８０および／または図２の任意の他の構成要素は、たとえば、図６のプロセス６００、図７のプロセス７００、および／または本明細書で説明するような他のプロセスの動作を実施または指示し得る。メモリ２４２および２８２は、それぞれ、ＢＳ１１０およびＵＥ１２０のためのデータとプログラムコードとを記憶し得る。スケジューラ２４６は、ダウンリンク上および／またはアップリンク上のデータ送信のためにＵＥをスケジューリングし得る。
【００３９】
[0045]いくつかの態様では、ＵＥ１２０は、そのセルを介して装置がコールを実施することになる２Ｇ／３Ｇセルを識別するために測定構成または測定ギャップのうちの少なくとも１つを識別する第１のハンドオーバーコマンドメッセージを４Ｇ／ＬＴＥデバイスから５Ｇ／ＮＲ基地局を介して受信するための手段と、測定構成および／または測定ギャップに少なくとも部分的に基づいて２Ｇ／３Ｇセルに関する測定報告を４Ｇ／ＬＴＥデバイスに５Ｇ／ＮＲ基地局を介して送信するための手段と、２Ｇ／３Ｇセルを介するコールの実施のために５Ｇ／ＮＲ基地局を介して４Ｇ／ＬＴＥデバイスから受信された第２のハンドオーバーメッセージに少なくとも部分的に基づいて２Ｇ／３Ｇセルに同調するための手段と、ＵＥの２Ｇ／３Ｇセルへのパケット交換ハンドオーバーの構成に対するトラッキングエリア更新（ＴＡＵ：tracking area update）メッセージを４Ｇ／ＬＴＥデバイスを介して４Ｇ／ＬＴＥネットワークデバイスに提供するための手段と、第２のハンドオーバーメッセージとともにＴＡＵ受付メッセージを受信することに少なくとも部分的に基づいてＵＥの２Ｇ／３Ｇセルへのパケット交換ハンドオーバーに対するルーティングエリア更新（ＲＡＵ：routing area update）を実施するための手段と、複数の対応する２Ｇ／３Ｇセルに対する複数の第１のハンドオーバーコマンドメッセージを受信するための手段と、ここにおいて、複数の対応する２Ｇ／３Ｇセルはその２Ｇ／３Ｇセルを含む、およびここにおいて、２Ｇ／３Ｇセルに対応する第１のハンドオーバーコマンドは複数の第１のハンドオーバーコマンドメッセージ内に含まれる、複数の対応する２Ｇ／３Ｇセルと関連付けられた測定に少なくとも部分的に基づいて複数の対応する２Ｇ／３Ｇセルからその２Ｇ／３Ｇセルを選択するための手段と、５Ｇ／ＮＲ基地局とのエアインターフェース接続を解除するための手段と、その他とを含み得る。いくつかの態様では、そのような手段は、図２に関して説明するＵＥ１２０の１つまたは複数の構成要素を含み得る。
【００４０】
[0046]いくつかの態様では、ＢＳ１１０（たとえば、４Ｇ／ＬＴＥデバイス）は、そのセルを介してＵＥがコールを実施することになる２Ｇ／３Ｇセルを識別するために測定構成を識別する第１のメッセージを提供するための手段と、ここにおいて、第１のメッセージは５Ｇ／ＮＲ基地局を介してＵＥに提供される、測定構成に少なくとも部分的に基づいて５Ｇ／ＮＲ基地局を介して２Ｇ／３Ｇセルに関する測定報告を受信するための手段と、コールを実施するためにＵＥの２Ｇ／３Ｇセルへのハンドオーバーを構成するための第２のメッセージを提供するための手段と、ここにおいて、第２のメッセージは５Ｇ／ＮＲ基地局を介してＵＥに提供される、複数の２Ｇ／３Ｇセルの測定構成を識別する複数の第１のメッセージを提供するための手段と、複数の２Ｇ／３Ｇセルに関するマルチターゲットハンドオーバー準備手順を実施するための手段と、ＵＥの２Ｇ／３Ｇセルへのパケット交換ハンドオーバーの構成に対するトラッキングエリア更新（ＴＡＵ）メッセージを５Ｇ／ＮＲ基地局を介して受信するための手段と、ＵＥの２Ｇ／３Ｇセルへのパケット交換ハンドオーバーを構成するための手段と、ＵＥの２Ｇ／３Ｇセルへのパケット交換ハンドオーバーを引き起こすためにＴＡＵ受付メッセージを提供するための手段と、その他とを含み得る。いくつかの態様では、そのような手段は、図２に関して説明するＢＳ１１０の１つまたは複数の構成要素を含み得る。
【００４１】
[0047]上記のように、図２は一例として提供されるにすぎない。他の例が可能であり、図２に関して説明されたものと異なってよい。
【００４２】
[0048]本明細書で説明される例の態様は、ＬＴＥ技術に関連付けられ得るが、本開示の態様は、ＮＲまたは５Ｇ技術など、他のワイヤレス通信システムとともに適用可能であり得る。
【００４３】
[0049]新無線（ＮＲ）は、新しいエアインターフェース（たとえば、直交周波数分割多元接続（ＯＦＤＭＡ）ベースのエアインターフェース以外）または固定トランスポートレイヤ（たとえば、インターネットプロトコル（ＩＰ）以外）に従って動作するように構成される無線を指すことがある。態様では、ＮＲは、アップリンク上でＣＰを有するＯＦＤＭ（本明細書ではサイクリックプレフィックスＯＦＤＭまたはＣＰ−ＯＦＤＭと呼ばれる）および／またはＳＣ−ＦＤＭを利用し得、ダウンリンク上でＣＰ−ＯＦＤＭを利用し得、時分割複信（ＴＤＤ）を使用して半二重動作をサポートすることを含む。態様では、ＮＲは、たとえば、アップリンク上でＣＰを有するＯＦＤＭ（本明細書ではＣＰ−ＯＦＤＭと呼ばれる）および／または離散フーリエ変換拡散直交周波数分割多重（ＤＦＴ−ｓ−ＯＦＤＭ）を利用し得、ダウンリンク上でＣＰ−ＯＦＤＭを利用し得、ＴＤＤを使用して半二重動作をサポートすることを含む。ＮＲは、広帯域幅（たとえば、８０メガヘルツ（ＭＨｚ）超）をターゲットにする拡張モバイルブロードバンド（ｅＭＢＢ）サービス、高キャリア周波数（たとえば、６０ギガヘルツ（ＧＨｚ））をターゲットにするミリメートル波（ｍｍＷ）、非後方互換ＭＴＣ技法をターゲットにするマッシブＭＴＣ（ｍＭＴＣ）、および／または超高信頼低レイテンシ通信（ＵＲＬＬＣ）サービスをターゲットにするミッションクリティカルを含み得る。
【００４４】
[0050]１００ＭＨｚのシングルコンポーネントキャリア帯域幅がサポートされてよい。ＮＲリソースブロックは、０．１ｍｓ持続時間にわたって７５キロヘルツ（ｋＨｚ）のサブキャリア帯域幅をもつ１２個のサブキャリアにわたり得る。各無線フレームは、１０ｍｓの長さを有する５０個のサブフレームを含んでよい。その結果、各サブフレームは０．２ｍｓの長さを有してよい。各サブフレームは、データ送信のためのリンク方向（たとえば、ＤＬまたはＵＬ）を示すことができ、サブフレームごとのリンク方向は動的に切り替えられてよい。各サブフレームは、ダウンリンク／アップリンク（ＤＬ／ＵＬ）データならびにＤＬ／ＵＬ制御データを含んでよい。
【００４５】
[0051]ビームフォーミングがサポートされ得、ビーム方向が動的に構成され得る。プリコーディングを用いたＭＩＭＯ送信も、サポートされ得る。ＤＬにおけるＭＩＭＯ構成は、最高８つのストリームおよびＵＥごとに最高２つのストリームのマルチレイヤＤＬ送信を用いて、最高８つの送信アンテナをサポートし得る。ＵＥごとに最高２つのストリームを用いるマルチレイヤ送信がサポートされ得る。複数のセルのアグリゲーションが、最高８つのサービングセルを用いてサポートされ得る。いくつかの態様では、ＮＲは、ＯＦＤＭベースインターフェース以外の異なるエアインターフェースをサポートし得る。ＮＲネットワークは、中央ユニットまたは分散ユニットなどのエンティティを含み得る。
【００４６】
[0052]無線アクセスネットワーク（ＲＡＮ）は、中央ユニット（ＣＵ）と分散ユニット（ＤＵ）とを含み得る。ＮＲ  ＢＳ（たとえば、ｇＮＢ、５ＧノードＢ、ノードＢ、送信受信ポイント（ＴＲＰ）、アクセスポイント（ＡＰ））は、１つまたは複数のＢＳに対応し得る。ＮＲセルは、アクセスセル（ＡＣｅｌｌ）またはデータオンリーセル（ＤＣｅｌｌ）として構成することができる。たとえば、ＲＡＮ（たとえば、中央ユニットまたは分散ユニット）は、セルを構成することができる。ＤＣｅｌｌは、キャリアアグリゲーションまたはデュアル接続性に使用されるが、初期アクセス、セル選択／再選択、またはハンドオーバーに使用されないセルであってよい。場合によっては、ＤＣｅｌｌは、同期信号を送信できない。場合によっては、ＤＣｅｌｌは、同期信号を送信できる。ＮＲ  ＢＳは、セルタイプを示すダウンリンク信号をＵＥに送信することができる。セルタイプインジケーションに少なくとも部分的に基づいて、ＵＥはＮＲ  ＢＳと通信することができる。たとえば、ＵＥは、示されたセルタイプに少なくとも部分的に基づいて、セル選択、アクセス、ハンドオーバー、および／または測定を考慮するためのＮＲ  ＢＳを決定することができる。
【００４７】
[0053]ＵＥは、ＮＲまたはＬＴＥなどの第１の無線アクセス技術（ＲＡＴ）からＬＴＥ、２Ｇまたは３Ｇなどの第２のＲＡＴへのフォールバックを実施し得る。たとえば、５Ｇ／ＮＲ配備は、ボイスオーバー新無線（ＶｏＮＲ：Voice over New Radio）をサポートしない場合があるので、５Ｇ／ＮＲ配備を使用するコールと関連付けられるＵＥは４Ｇ／ＬＴＥ基地局へのフォールバックを実施してよく、それによって、コールはボイスオーバーＬＴＥ（ＶｏＬＴＥ：Voice over LTE）を使用して実施され得る。しかしながら、場合によっては、４Ｇ／ＬＴＥ基地局は、ＶｏＬＴＥを提供するように構成されていないことがあるか、またはＶｏＬＴＥに関連するサービス品質（ＱｏＳ）要件をサポートすることができないことがある。そのような場合、ＵＥは、２Ｇ／３Ｇセルへの別のフォールバックを実施することがあり、それは、かなりの量の時間がかかり、ネットワークリソースを使用し、ユーザエクスペリエンスを低下させる。
【００４８】
[0054]本明細書で説明するいくつかの技法および装置は、ＬＴＥエアインターフェースを使用しない５Ｇ／ＮＲから２Ｇ／３Ｇへのフォールバックを提供する。言い換えれば、ＵＥは、４Ｇ／ＬＴＥ基地局によって提供されるエアインターフェースにアクセスしない２Ｇ／３Ｇへのフォールバックを実施し得る。たとえば、本明細書で説明するいくつかの技法および装置は、フォールバックを実施することに関係する構成メッセージ、報告メッセージおよび／または非アクセス層（ＮＡＳ）メッセージに対するトンネリングメカニズム（たとえば、無線リソース制御（ＲＲＣ）トンネリングメカニズム）を提供し得る。このようにして、４Ｇ／ＬＴＥ基地局およびＵＥのネットワークリソースが節約され得る。さらに、２Ｇ／３Ｇへのフォールバックに関連する遅延が低減され得る。
【００４９】
[0055]図３Ａおよび図３Ｂは、本開示の様々な態様による、５Ｇから２Ｇ／３Ｇへの２段階フォールバックに対するコールフローの例３００を示す図である。示すように、例３００は、アクセスおよびモビリティ管理機能（ＡＭＦ：Access and Mobility Management Function）３０２とモビリティ管理エンティティ（ＭＭＥ：mobility management entity）３０４とを含み得る。ＡＭＦ３０２およびＭＭＥ３０４は、それぞれ、５Ｇ／ＮＲ  ＵＥおよび４Ｇ／ＬＴＥ  ＵＥに対するモビリティ情報とＵＥ情報（たとえば、ＵＥコンテキスト）とを記憶し得る。追加または代替として、ＡＭＦ３０２およびＭＭＥ３０４は、１つのＢＳおよび／またはＲＡＴから別のＢＳおよび／またはＲＡＴにハンドオーバーされているＵＥに対するハンドオーバー関連通信および構成を処理し得る。
【００５０】
[0056]図３Ａにおいて参照番号３０６で示すように、５Ｇ／ＮＲ  ＢＳ１１０（たとえば、ｇＮＢ、５Ｇ  ＮＢなど）は、ＡＭＦ３０２に第１のハンドオーバーコマンドメッセージを提供し得る。たとえば、第１のハンドオーバーコマンドメッセージは、ＵＥ１２０が５Ｇ／ＮＲ  ＢＳ１１０から４Ｇ／ＬＴＥ  ＢＳ１１０にハンドオーバーされることになることを示し得る。いくつかの態様では、５Ｇ／ＮＲ  ＢＳ１１０は、ＵＥ１２０がコールを発信しているかまたは受信していると決定することに少なくとも部分的に基づいて、および５Ｇ／ＮＲ  ＢＳ１１０がＶｏＮＲをサポートしないことに少なくとも部分的に基づいて、第１のハンドオーバーコマンドメッセージを提供し得る。さらに示すように、いくつかの態様では、第１のハンドオーバーコマンドメッセージは、単一無線音声通信継続（ＳＲＶＣＣ：Single Radio Voice Call Continuity）要求を含み得る。
【００５１】
[0057]参照番号３０８で示すように、ＡＭＦ３０２は、第１のハンドオーバーコマンドメッセージに少なくとも部分的に基づいて、ＭＭＥ３０４にフォワードリロケーション要求（ＦＷＤリロケーション要求として示される）を提供し得る。フォワードリロケーション要求は、５Ｇ／ＮＲから４Ｇ／ＬＴＥへのおよび／または４Ｇ／ＬＴＥから２Ｇ／３Ｇへのフォールバック手順を開始し得る。たとえば、フォワードリロケーション要求は、ＵＥ１２０を識別し得、ＵＥ１２０が、５Ｇ／ＮＲ  ＢＳ１１０から４Ｇ／ＬＴＥ  ＢＳ１１０および／または２Ｇ／３Ｇ  ＢＳ１１０によって提供される２Ｇ／３Ｇセルへ、ハンドオーバーされることになることを示し得る。
【００５２】
[0058]参照番号３１０で示すように、ＭＭＥ３０４は、４Ｇ／ＬＴＥ  ＢＳ１１０にハンドオーバー要求を提供し得る。たとえば、ハンドオーバー要求は、ＵＥ１２０が、５Ｇ／ＮＲ  ＢＳ１１０から２Ｇ／３Ｇセルを提供する２Ｇ／３Ｇ  ＢＳ１１０（図示せず）へハンドオーバーされることになることを示し得る。
【００５３】
[0059]参照番号３１２で示すように、４Ｇ／ＬＴＥ  ＢＳ１１０は、ハンドオーバー要求の肯定応答を提供し得る。さらに示すように、肯定応答は、２Ｇ／３Ｇ測定構成を識別する情報を含み得る。たとえば、４Ｇ／ＬＴＥ  ＢＳ１１０は、ハンドオーバーに好適な２Ｇ／３Ｇセルを識別するために特定の測定を実施するようにＵＥ１２０を構成し得る。さらに示すように、４Ｇ／ＬＴＥ  ＢＳ１１０は、ＬＴＥ  ＲＲＣコンテナ内に肯定応答をカプセル化してよい。ＬＴＥ  ＲＲＣコンテナは、２Ｇ／３Ｇ測定構成を提供するためにＬＴＥエアインターフェースを使用することなく２Ｇ／３Ｇ測定構成のＵＥ１２０へのトンネリングを提供し得る。たとえば、ＬＴＥ  ＲＲＣコンテナは、５Ｇ／ＮＲ  ＢＳ１１０に対してトランスペアレント(transparent)であり得る。
【００５４】
[0060]参照番号３１４で示すように、ＭＭＥ３０４は、ＡＭＦ３０２にフォワードリロケーション応答を提供し得る。参照番号３１６で示すように、ＡＭＦ３０２は、５Ｇ／ＮＲ  ＢＳ１１０にハンドオーバーコマンドを提供し得る。たとえば、フォワードリロケーション応答およびハンドオーバーコマンドは、２Ｇ／３Ｇ測定構成を含み得る。
【００５５】
[0061]参照番号３１８で示すように、５Ｇ／ＮＲ  ＢＳ１１０は、ＵＥ１２０にハンドオーバーコマンドを提供し得る。示すように、ハンドオーバーコマンドは、２Ｇ／３Ｇ測定構成を含み得る。さらに示すように、ハンドオーバーコマンドは、測定ギャップを識別し得る。いくつかの態様では、ハンドオーバーコマンドは、ターゲットからソースに対する(target-to-source)トランスペアレントなコンテナ、または５Ｇ／ＮＲ  ＢＳ１１０に対してトランスペアレントであるコンテナの中で提供され得る。たとえば、５Ｇ／ＮＲ  ＢＳ１１０は測定ギャップを決定し得、測定ギャップを識別するＵＥ１２０にスケジューリング情報を提供し得る。このようにして、２Ｇ／３Ｇ測定構成は、ＬＴＥエアインターフェースを使用することなく４Ｇ／ＬＴＥ  ＢＳ１１０からＵＥ１２０に提供され、それは、２Ｇ／３Ｇへのフォールバックを実施することの速さと効率とを改善する。
【００５６】
[0062]参照番号３２０で示すように、ＵＥ１２０は、２Ｇ／３Ｇ測定構成によって識別される２Ｇ／３Ｇ測定を実施し得る。たとえば、ＵＥ１２０は、フォールバックを実施するためのターゲット２Ｇ／３Ｇセルを決定するために、測定ギャップ内で２Ｇ／３Ｇ測定を実施し得る。いくつかの態様では、本明細書の他の場所でより詳細に説明するように、ＵＥ１２０は、複数の異なる２Ｇ／３Ｇセルに関する測定を実施し得、最良のセルを選択し得る。
【００５７】
[0063]参照番号３２２で示すように、ＵＥ１２０は、５Ｇ／ＮＲ  ＢＳ１１０、ＡＭＦ３０２およびＭＭＥ３０４を介して４Ｇ／ＬＴＥ  ＢＳ１１０に測定報告を提供し得る。たとえば、ＵＥ１２０は、５Ｇ／ＮＲ  ＢＳ１１０に対してトランスペアレントであり得るＬＴＥ  ＲＲＣコンテナ内で測定報告を提供し得る。追加または代替として、ＵＥ１２０は、ソースからターゲットに対するトランスペアレントなコンテナ内で測定報告を提供し得る。このようにして、ＵＥ１２０は、５Ｇ／ＮＲ  ＢＳ１１０を介してトンネルを使用して４Ｇ／ＬＴＥ  ＢＳ１１０に測定報告を提供し、それは、４Ｇ／ＬＴＥから２Ｇ／３Ｇへのフォールバックを実施するための４Ｇ／ＬＴＥエアインターフェースへの依存を低減する。
【００５８】
[0064]さらに示すように、ＵＥ１２０は、非アクセス層（ＮＡＳ）メッセージングプロトコルを使用してトラッキングエリア更新（ＴＡＵ）要求を提供し得る。たとえば、ＵＥ１２０は、図示のように、ＬＴＥ  ＲＲＣコンテナ内でＴＡＵ要求を提供し得る。ＵＥ１２０は、５Ｇ／ＮＲから２Ｇ／３ＧへのＵＥ１２０のパケット交換ハンドオーバーをトリガするためにＴＡＵ要求を提供し得る。たとえば、ＵＥ１２０は、ＭＭＥ３０４が、ＵＥ１２０のパケット交換ハンドオーバーを構成することができるように、ＵＥコンテキスト情報に関連するＴＡＵ要求を提供し得る。
【００５９】
[0065]図３Ｂにおいて参照番号３２４で示すように、４Ｇ／ＬＴＥ  ＢＳ１１０は、測定報告によって識別される２Ｇ／３Ｇセルへのハンドオーバーをトリガするために、ＭＭＥ３０４にハンドオーバーコマンドメッセージを提供し得る。たとえば、ハンドオーバーコマンドは、５Ｇ／ＮＲ  ＢＳ１１０から２Ｇ／３ＧセルへのＵＥ１２０のハンドオーバーを構成するためのＳＲＶＣＣメッセージを含み得る。
【００６０】
[0066]参照番号３２６で示すように、４Ｇ／ＬＴＥ  ＢＳ１１０およびＭＭＥ３０４は、２Ｇ／３Ｇ回線交換（ＣＳ：circuit-switched）ネットワークへのＵＥ１２０のＳＲＶＣＣハンドオーバーを構成し得る。このようにして、コールが２Ｇ／３Ｇ  ＣＳネットワークを使用して実施され得るように、２段階フォールバックが実施される。さらに、４Ｇ／ＬＴＥ  ＢＳ１１０およびＭＭＥ３０４は、２Ｇ／３Ｇパケット交換（ＰＳ）ネットワークへのＵＥ１２０のパケット交換ハンドオーバー（ＰＳＨＯ：packet-switched handover）を構成し得る。たとえば、４Ｇ／ＬＴＥ  ＢＳ１１０およびＭＭＥ３０４は、２Ｇ／３Ｇネットワーク上でＰＳおよびＣＳの同時通信がサポートされているときに、ＰＳＨＯを構成し得る。
【００６１】
[0067]参照番号３２８で示すように、ＭＭＥ３０４は、ＬＴＥ  ＲＲＣコンテナ内で４Ｇ／ＬＴＥ  ＢＳ１１０にハンドオーバーコマンドを提供し得る。たとえば、ＭＭＥ３０４は、４Ｇ／ＬＴＥ  ＢＳ１１０がＵＥ１２０に転送するためのハンドオーバーコマンドを４Ｇ／ＬＴＥ  ＢＳ１１０に提供し得る。さらに、ＭＭＥ３０４は、５Ｇ／ＮＲ  ＢＳ１１０を介してＵＥ１２０にハンドオーバーコマンドをトンネリングすることを可能にするために、ＲＲＣトランスペアレントコンテナ内でハンドオーバーコマンドを提供し得る。
【００６２】
[0068]参照番号３３０で示すように、４Ｇ／ＬＴＥ  ＢＳ１１０は、５Ｇ／ＮＲ  ＢＳ１１０を介してＵＥ１２０にハンドオーバーコマンドを提供し得る。ＬＴＥ  ＲＲＣコンテナ内で５Ｇ／ＮＲ  ＢＳ１１０を介してハンドオーバーコマンドを提供することによって、４Ｇ／ＬＴＥ  ＢＳ１１０は、そうでなければ、２段階ハンドオーバーの一部としてＵＥ１２０とのＬＴＥエアインターフェースを確立するために使用されることになるリソースを節約する。さらに示すように、４Ｇ／ＬＴＥ  ＢＳ１１０は、ＮＡＳメッセージ内でＴＡＵ受付メッセージを提供し得る。たとえば、ＴＡＵ受付メッセージは、ＬＴＥ  ＲＲＣコンテナ内にカプセル化され得る。したがって、ＴＡＵ受付メッセージは、ＬＴＥエアインターフェースを使用することなく５Ｇ／ＮＲ  ＢＳ１１０を介してＵＥ１２０に提供され得る。以下でより詳細に説明するように、ＴＡＵ受付メッセージは、ＵＥ１２０が２Ｇ／３ＧセルへのＰＳハンドオーバーを実施することになることを示し得る。
【００６３】
[0069]参照番号３３２で示すように、ＵＥ１２０は２Ｇ／３Ｇセルに同調し得、２Ｇ／３Ｇセルを介してコールを実施し得る。このようにして、５Ｇ／ＮＲ  ＢＳ１１０から２Ｇ／３Ｇセルへの２段階ハンドオーバーは、４Ｇ／ＬＴＥ  ＢＳ１１０のエアインターフェースを使用することなく４Ｇ／ＬＴＥ  ＢＳ１１０によって構成され、それは、無線リソースを節約し、２段階ハンドオーバー手順の速さを改善する。
【００６４】
[0070]参照番号３３４で示すように、ＵＥ１２０は、ルーティングエリア更新を実施し得る。たとえば、ＵＥ１２０は、５Ｇ／ＮＲ  ＢＳ１１０から２Ｇ／３ＧセルへのＰＳハンドオーバーを実施するためにルーティングエリア更新を実施し得る。このようにして、５Ｇ／ＮＲ  ＢＳ１１０から２Ｇ／３ＧセルへのＰＳハンドオーバーは、ＬＴＥエアインターフェースを使用することなく構成されて実施され、それは、ＰＳハンドオーバーの速さと効率とを改善する。
【００６５】
[0071]コールが終了した後、ＵＥ１２０はＬＴＥ動作に戻ってよい。ＬＴＥ動作に戻った後、ＵＥ１２０は、５Ｇ／ＮＲ動作に対して再選択してよく、および／またはＬＴＥネットワーク（たとえば、ＭＭＥ３０４および／または４Ｇ／ＬＴＥ  ＢＳ１１０）によって５Ｇ動作に移行されてよい。
【００６６】
[0072]上記のように、図３Ａおよび図３Ｂは例として与えられている。他の例が可能であり、図３Ａおよび図３Ｂに関して説明したものとは異なることがある。
【００６７】
[0073]図４Ａおよび図４Ｂは、本開示の様々な態様による、５Ｇから２Ｇ／３Ｇへの２段階フォールバックに対する別のコールフローの例４００を示す図である。図４Ａおよび図４Ｂは２段階フォールバック手順を示しており、ここでは４Ｇ／ＬＴＥ  ＢＳおよび５Ｇ／ＮＲ  ＢＳはコロケートされる。たとえば、４Ｇ／ＬＴＥ  ＢＳは５Ｇ／ＮＲ  ＢＳの構成要素であってよく、または５Ｇ／ＮＲ  ＢＳは４Ｇ／ＬＴＥ  ＢＳの構成要素であってよい。図４Ａおよび図４Ｂでは、コロケートされたＢＳが４Ｇ／５Ｇ  ＢＳ１１０として示されている。示すように、例４００は、図３Ａおよび図３ＢのＡＭＦ３０２およびＭＭＥ３０４と同様であり得るＡＭＦ４０２とＭＭＥ４０４とを含む。さらに、例４００は、２Ｇ／３Ｇネットワークに対するモビリティおよびハンドオーバー機能を実施し得るモバイル交換センター（ＭＳＣ）４０６を含む。いくつかの態様では、４Ｇ／５Ｇ  ＢＳ１１０によって実施されているとして例４００におけるように説明される１つまたは複数の動作は、ＭＭＥ３０４および／または図１、図２、図３Ａまたは図３Ｂの任意の他のデバイスによって実施され得る。
【００６８】
[0074]参照番号４０８で示すように、４Ｇ／５Ｇ  ＢＳ１１０は、ＵＥ１２０に第１のハンドオーバーコマンドメッセージ（たとえば、ＭｏｂｉｌｉｔｙＦｒｏｍＮＲＣｏｍｍａｎｄ）を提供し得る。たとえば、第１のハンドオーバーコマンドメッセージは、２Ｇ／３Ｇ測定構成を識別し得る。とりわけ、４Ｇ／ＬＴＥ  ＢＳおよび５Ｇ／ＮＲ  ＢＳがコロケートされるとき、ハンドオーバーメッセージまたはハンドオーバー要求は、４Ｇ／ＬＴＥ  ＢＳ１１０から５Ｇ／ＮＲ  ＢＳ１１０に提供される必要はなく、それは、ネットワークのバックホールリソースを節約する。示すように、ＵＥ１２０は、第１のハンドオーバーコマンドメッセージに少なくとも部分的に基づいて２Ｇ／３Ｇ測定を実施し得る。いくつかの態様では、ＵＥ１２０は、ハンドオーバーコマンドメッセージを受信することなく２Ｇ／３Ｇ測定を実施し得る。たとえば、ＵＥ１２０は、測定イベントなどに少なくとも部分的に基づいて周期的に２Ｇ／３Ｇ測定を実施し得る。
【００６９】
[0075]参照番号４１０で示すように、ＵＥ１２０は、４Ｇ／５Ｇ  ＢＳ１１０に測定報告を提供し得る。たとえば、測定報告はＬＴＥ  ＲＲＣコンテナ内にカプセル化されてよく、それは、ＬＴＥエアインターフェースを使用することなくＵＥ１２０から４Ｇ／５Ｇ  ＢＳ１１０への測定報告のトンネリングを可能にし得る。さらに示すように、ＵＥ１２０は、４Ｇ／５Ｇ  ＢＳ１１０から２Ｇ／３ＧセルへのＵＥ１２０のＰＳハンドオーバーを構成するためにＴＡＵ要求を提供し得る。
【００７０】
[0076]参照番号４１２で示すように、４Ｇ／５Ｇ  ＢＳ１１０は、ＵＥ１２０のハンドオーバーを構成するために、ＭＭＥ４０４に第１のハンドオーバーコマンドメッセージを提供し得る。ここで、４Ｇ／５Ｇ  ＢＳ１１０はコロケートされているので、バックホールメッセージングは、４Ｇ／ＬＴＥ  ＢＳと５Ｇ／ＮＲ  ＢＳとの間で不要であり、それは、ネットワークリソースを節約する。さらに示すように、４Ｇ／５Ｇ  ＢＳ１１０は、ＵＥ１２０のＰＳハンドオーバーの構成のためにＴＡＵ要求をＭＭＥ４０４に提供し得る。いくつかの態様では、第１のハンドオーバーコマンドメッセージは、フォワードリロケーション要求を含み得る。いくつかの態様では、第１のハンドオーバーコマンドメッセージは、（たとえば、ＵＥ１２０がそのセルにハンドオーバーされることになる２Ｇ／３Ｇセルの）ターゲット識別子を示し得る。いくつかの態様では、第１のハンドオーバーコマンドメッセージは、トランスペアレントコンテナ（たとえば、ＬＴＥ  ＲＲＣコンテナ）内で送信され得る。いくつかの態様では、第１のハンドオーバーコマンドメッセージは、ＳＲＶＣＣハンドオーバーインジケーションを含み得る。
【００７１】
[0077]参照番号４１４で示すように、ＭＭＥ４０４は、ＰＳハンドオーバーを構成するために、ＡＭＦ４０２からＵＥコンテキスト情報を取得し得る。たとえば、ＡＭＦ４０２は、ＵＥ１２０とのアクティブ５Ｇ／ＮＲ接続に少なくとも部分的に基づいてＵＥコンテキスト情報を記憶し得る。
【００７２】
[0078]参照番号４１６で示すように、ＭＭＥ４０４は、ＵＥ１２０のＣＳハンドオーバー（たとえば、２Ｇ／３Ｇ  ＣＳネットワークへのＳＲＶＣＣハンドオーバー）および／またはＵＥ１２０のＰＳハンドオーバー（たとえば、２Ｇ／３ＧＰＳネットワークへのＰＳＨＯ）を構成し得る。たとえば、ＭＭＥ４０４は、（たとえば、ＵＥ１２０を識別する情報および／またはＵＥ１２０に対するＵＥコンテキスト情報を提供することによって）ハンドオーバーを実施するために、モバイル交換センター（ＭＳＣ）４０６を構成し得る。いくつかの態様では、ＭＳＣ４０６は、ハンドオーバーのためのターゲット２Ｇ／３Ｇセルを構成し得る。たとえば、ＭＳＣ４０６は、ＵＥ１２０に対するＵＥコンテキスト情報を提供すること、ＵＥ１２０を識別する情報を提供することなどを行い得る。
【００７３】
[0079]図４Ｂにおいて参照番号４１８で示すように、ＭＭＥ４０４は、ＵＥ１２０のハンドオーバーが実施されることを引き起こすために、４Ｇ／５Ｇ  ＢＳ１１０にハンドオーバーコマンドを提供し得る。たとえば、ＭＭＥ４０４は、４Ｇ／５Ｇ  ＢＳ１１０に対してトランスペアレントであるコンテナ内でハンドオーバーコマンドを提供し得、それによって、ＵＥ１２０とのＬＴＥエアインターフェースの必要性を除外する。さらに示すように、ＭＭＥ４０４は、ＵＥ１２０が２Ｇ／３ＧセルへのＰＳハンドオーバーを実施することになることを示すＴＡＵ受付メッセージを提供し得る。いくつかの態様では、ハンドオーバーコマンドは、フォワードリロケーション応答を含み得る。いくつかの態様では、ＭＭＥ４０４は、ＡＭＦ４０２を介して４Ｇ／５Ｇ  ＢＳ１１０にハンドオーバーコマンドを提供し得る。いくつかの態様では、ＭＭＥ４０４は、ＡＭＦ４０２にフォワードリロケーション応答を提供し得、ＡＭＦ４０２は、フォワードリロケーション応答に少なくとも部分的に基づいてハンドオーバーコマンドを生成し得る。
【００７４】
[0080]参照番号４２０で示すように、４Ｇ／５Ｇ  ＢＳ１１０は、ＵＥ１２０にハンドオーバーコマンドを提供し得る。たとえば、４Ｇ／５Ｇ  ＢＳ１１０は、５Ｇ／ＮＲエアインターフェースを介してハンドオーバーコマンドを提供し得、それによって、ＵＥ１２０とのＬＴＥエアインターフェースの必要性を除外する。さらに、ハンドオーバーコマンドは、測定報告に少なくとも部分的に基づいてＭＭＥ４０４によって選択され得るターゲット２Ｇ／３Ｇセルを識別し得る。
【００７５】
[0081]参照番号４２２で示すように、ＵＥ１２０はターゲット２Ｇ／３Ｇセルに同調し得、そのコールを実施し得る（図示せず）。このようにして、ＵＥ１２０は、２段階ハンドオーバーの間にＬＴＥネットワークに接続することなく、５Ｇ／ＮＲから２Ｇ／３Ｇへの２段階ハンドオーバーを実施し、それは、２段階ハンドオーバーの速さと効率とを改善する。
【００７６】
[0082]参照番号４２４で示すように、ＭＳＣ４０６は、ＵＥ１２０のハンドオーバーが完了することを示す情報をＭＭＥ４０４に提供し得る。たとえば、ＭＳＣ４０６は、ターゲット２Ｇ／３Ｇセルを提供する２Ｇ／３Ｇ  ＢＳから受信された情報に少なくとも部分的に基づいてハンドオーバーが完了していることを決定し得る。参照番号４２６で示すように、ＭＭＥ４０４は、ＵＥ１２０に関連するＵＥコンテキストが完了していることを示す（たとえば、ＡＭＦ４０２はＵＥ１２０に関連するＵＥコンテキストを削除できることを示す情報をＡＭＦ４０２に提供し得る。参照番号４２８で示すように、ＡＭＦ４０２は、４Ｇ／５Ｇ  ＢＳ１１０とＵＥ１２０との間のインターフェースを解除することを示すメッセージを提供し得る。
【００７７】
[0083]参照番号４３０によって示すように、ＵＥ１２０は、２Ｇ／３Ｇセルを介してコールを実施し得る。このようにして、４Ｇ／５Ｇ  ＢＳ１１０から２Ｇ／３Ｇセルへのハンドオーバーは、ＬＴＥエアインターフェースと接続する中間ステップなしに実現される。参照番号４３２で示すように、ＵＥ１２０は、ルーティングエリア更新を実施し得る。たとえば、ＵＥ１２０は、４Ｇ／５Ｇ  ＢＳ１１０から２Ｇ／３ＧセルへのＰＳハンドオーバーを実施するためにルーティングエリア更新を実施し得る。このようにして、ＵＥ１２０は、ＵＥ１２０のパケット交換動作を２Ｇ／３Ｇセルに移行し得、それは、４Ｇ／５Ｇ  ＢＳ１１０のネットワークリソースを節約し得る。
【００７８】
[0084]上記のように、図４Ａおよび図４Ｂは例として与えられている。他の例が可能であり、図４Ａおよび図４Ｂに関して説明したものとは異なることがある。
【００７９】
[0085]図５は、本開示の様々な態様による、５Ｇから２Ｇ／３Ｇへの２段階フォールバックに対するコールフローの例５００を示す図である。示すように、例５００は、ＡＭＦ３０２／４０２およびＭＭＥ３０４／４０４と同様であり得る、ＡＭＦ５０２とＭＭＥ５０４とを含む。図５は、複数のハンドオーバーコマンドに少なくとも部分的に基づいてＵＥ１２０がハンドオーバーを実施する一例を説明する。
【００８０】
[0086]参照番号５０６で示すように、５Ｇ／ＮＲ  ＢＳ１１０は、本明細書の他の場所でより詳細に説明するように、ＡＭＦ５０２に第１のハンドオーバーコマンドメッセージを提供し得る。参照番号５０８で示すように、ＡＭＦ５０２は、同じく本明細書の他の場所でより詳細に説明するように、ＭＭＥ５０４にフォワードリロケーション要求を提供し得る。
【００８１】
[0087]参照番号５１０で示すように、ＭＭＥ５０４は、４Ｇ／ＬＴＥ  ＢＳ１１０にＬＴＥ  ＲＲＣコンテナ内のハンドオーバー要求を提供し得る。参照番号５１２で示すように、ＭＭＥ５０４および／または４Ｇ／ＬＴＥ  ＢＳ１１０は、マルチターゲットハンドオーバー準備を実施し得る。たとえば、ＭＭＥ５０４および／または４Ｇ／ＬＴＥ  ＢＳ１１０は、１つまたは複数のターゲット２Ｇ／３Ｇ基地局またはセルを選択し得、１つまたは複数のターゲット２Ｇ／３Ｇ基地局またはセルにハンドオーバー情報を提供し得る。いくつかの態様では、ＭＭＥおよび／または４Ｇ／ＬＴＥ  ＢＳ１１０は、ＭＳＣ、無線ネットワークコントローラなどに情報を提供することによって、マルチターゲットハンドオーバー準備を実施し得る。
【００８２】
[0088]参照番号５１４で示すように、４Ｇ／ＬＴＥ  ＢＳ１１０は、本明細書の他の場所でより詳細に説明するように、ＬＴＥ  ＲＲＣコンテナ内でＭＭＥ５０４にハンドオーバー要求肯定応答を提供し得る。ハンドオーバー要求肯定応答は、マルチターゲットハンドオーバー準備の一部として識別された１つまたは複数のターゲット２Ｇ／３Ｇ基地局またはセルを識別し得る。
【００８３】
[0089]参照番号５１６で示すように、ＭＭＥ５０４は、ＡＭＦ５０２にフォワードリロケーション応答を提供し得る。フォワードリロケーション応答は、１つまたは複数のターゲット２Ｇ／３Ｇ基地局またはセルを識別し得る。参照番号５１８で示すように、ＡＭＦ５０２は、５Ｇ／ＮＲ  ＢＳ１１０に複数の異なる２Ｇ／３Ｇハンドオーバーコマンドを提供し得、参照番号５２０で示すように、５Ｇ／ＮＲ  ＢＳ１１０は、ＵＥ１２０に複数の異なる２Ｇ／３Ｇハンドオーバーコマンドを提供し得る。
【００８４】
[0090]参照番号５２２によって示すように、ＵＥ１２０は、複数の異なる２Ｇ／３Ｇハンドオーバーコマンドに少なくとも部分的に基づいて２Ｇ／３Ｇ測定を実施し得る。たとえば、ＵＥ１２０は、ターゲットセルを識別するために、１つまたは複数のターゲット２Ｇ／３Ｇ基地局またはセルに関する測定を実施し得る。参照番号５２４で示すように、ＵＥ１２０は、ターゲット２Ｇ／３Ｇセルに同調し得る。たとえば、ＵＥ１２０は、ターゲット２Ｇ／３Ｇセルに対応する複数の異なる２Ｇ／３Ｇハンドオーバーコマンドのうちの１つを実行し得る。このようにして、ＵＥ１２０は、複数の異なるハンドオーバーコマンドに少なくとも部分的に基づいてターゲットセルを選択し、それは、そうでなければ、ターゲット２Ｇ／３Ｇセルを選択するためにＭＭＥ５０４によって使用されることになるネットワークリソースを節約する。
【００８５】
[0091]上で示したように、図５は一例として提供される。他の例が可能であり、図５に関して説明されたものとは異なることがある。
【００８６】
[0092]図６は、本開示の様々な態様による、たとえば、ＵＥによって実施される例示的なプロセス６００を示す図である。例示的なプロセス６００は、ＵＥ（たとえば、ＵＥ１２０）が５Ｇから２Ｇ／３Ｇへの２段階フォールバックを実施する一例である。
【００８７】
[0093]図６に示すように、いくつかの態様では、プロセス６００は、そのセルを介してＵＥがコールを実施することになる２Ｇ／３Ｇセルを識別するために、測定構成または測定ギャップのうちの少なくとも１つを識別する第１のハンドオーバーコマンドメッセージを、４Ｇ／ＬＴＥデバイスから５Ｇ／ＮＲ基地局を介して受信することを含み得る（ブロック６１０）。たとえば、ＵＥ（たとえば、アンテナ２５２、ＤＥＭＯＤ２５４、ＭＩＭＯ検出器２５６、受信プロセッサ２５８、コントローラ／プロセッサ２８０などを使用する）は、第１のハンドオーバーコマンドメッセージを受信し得る。第１のハンドオーバーコマンドメッセージは、測定構成または測定ギャップのうちの少なくとも１つを識別し得る。ＵＥは、そのセルを介してＵＥがコールを実施することになる２Ｇ／３Ｇセルを識別するために、測定構成に少なくとも部分的に基づいて測定を実施し得る。ＵＥは、５Ｇ／ＮＲ基地局を介して４Ｇ／ＬＴＥデバイスから第１のハンドオーバーコマンドメッセージを受信し得る。たとえば、ＵＥは、５Ｇ／ＮＲ基地局を介する４Ｇ／ＬＴＥデバイスからのトンネルに少なくとも部分的に基づいて第１のハンドオーバーコマンドメッセージを受信し得る。いくつかの態様では、４Ｇ／ＬＴＥデバイスおよび５Ｇ／ＮＲ基地局は、コロケートされてよく、または同じ基地局であってよい。いくつかの態様では、ＵＥは、ＭＭＥから第１のハンドオーバーコマンドメッセージを受信し得る。たとえば、「４Ｇ／ＬＴＥデバイス」は、場合によってはＭＭＥを指すことがある。
【００８８】
[0094]図６に示すように、いくつかの態様では、プロセス６００は、測定構成および／または測定ギャップに少なくとも部分的に基づいて２Ｇ／３Ｇセルに関する測定報告を、４Ｇ／ＬＴＥデバイスに５Ｇ／ＮＲ基地局を介して送信することを含み得る（ブロック６２０）。たとえば、ＵＥ（たとえば、コントローラ／プロセッサ２８０、送信プロセッサ２６４、ＴＸ  ＭＩＭＯプロセッサ２６６、ＭＯＤ２５４、アンテナ２５２などを使用する）は、測定報告を送信し得る。測定報告は、２Ｇ／３Ｇセルに関する測定を識別し得る。たとえば、測定報告は、測定構成および／または測定ギャップに少なくとも部分的に基づくことがある。いくつかの態様では、測定報告は、４Ｇ／ＬＴＥデバイスに５Ｇ／ＮＲ基地局を介して送信され得る。
【００８９】
[0095]図６に示すように、いくつかの態様では、プロセス６００は、２Ｇ／３Ｇセルを介するコールの実施のために、５Ｇ／ＮＲ基地局を介して４Ｇ／ＬＴＥデバイスから受信された第２のハンドオーバーメッセージに少なくとも部分的に基づいて２Ｇ／３Ｇセルに同調することを含み得る（ブロック６３０）。たとえば、ＵＥ（たとえば、アンテナ２５２、ＤＥＭＯＤ２５４、ＭＩＭＯ検出器２５６、受信プロセッサ２５８、コントローラ／プロセッサ２８０などを使用する）は、第２のハンドオーバーメッセージに少なくとも部分的に基づいて２Ｇ／３Ｇセルに同調し得る。第２のハンドオーバーメッセージは、５Ｇ／ＮＲ基地局を介して４Ｇ／ＬＴＥデバイスから受信され得る。ＵＥは、２Ｇ／３Ｇセルを介してコールを実施するために、２Ｇ／３Ｇセルに同調し得る。
【００９０】
[0096]プロセス６００は、以下で説明する任意の単一の態様もしくは態様の任意の組合せなど、および／または本明細書の他の場所で説明する１つまたは複数の他のプロセスに関連する、追加の態様を含み得る。
【００９１】
[0097]いくつかの態様では、５Ｇ／ＮＲから２Ｇ／３Ｇへのハンドオーバーは、プロキシとして４Ｇ／ＬＴＥを使用して実施され、ＵＥは、５Ｇ／ＮＲから２Ｇ／３Ｇへのハンドオーバーを実施するときにＬＴＥエアインターフェースにアクセスしない。いくつかの態様では、測定報告は、４Ｇ／ＬＴＥ無線リソース制御（ＲＲＣ）メッセージ内にカプセル化され、４Ｇ／ＬＴＥ  ＲＲＣメッセージは、５Ｇ／ＮＲ  ＲＲＣメッセージ内にカプセル化される。いくつかの態様では、測定報告は、５Ｇ／ＮＲ基地局に対してトランスペアレントであるコンテナ内にカプセル化される。
【００９２】
[0098]いくつかの態様では、第１のハンドオーバーコマンドメッセージまたは第２のハンドオーバーメッセージのうちの少なくとも１つが、５Ｇ／ＮＲ基地局に対してトランスペアレントであるコンテナ内にカプセル化される。
【００９３】
[0099]いくつかの態様では、ＵＥは、ＵＥの２Ｇ／３Ｇセルへのパケット交換ハンドオーバーの構成のためにトラッキングエリア更新（ＴＡＵ）メッセージを、４Ｇ／ＬＴＥデバイスを介して４Ｇ／ＬＴＥネットワークデバイスに提供し得る。ＵＥは、第２のハンドオーバーメッセージを有するＴＡＵ受付メッセージを受信することに少なくとも部分的に基づいて、ＵＥの２Ｇ／３Ｇセルへのパケット交換ハンドオーバーのためにルーティングエリア更新（ＲＡＵ）を実施し得る。いくつかの態様では、ＴＡＵメッセージおよびＴＡＵ受付メッセージは、ＬＴＥ無線リソース制御（ＲＲＣ）コンテナ内にカプセル化された非アクセス層（ＮＡＳ）メッセージである。
【００９４】
[00100]いくつかの態様では、２Ｇ／３Ｇセルは選択された基地局であり、測定報告は、選択された基地局を含む複数の２Ｇ／３Ｇセルに関する情報を含む。いくつかの態様では、第１のハンドオーバーコマンドメッセージを受信することは、複数の対応する２Ｇ／３Ｇセルに対する複数の第１のハンドオーバーコマンドメッセージを受信することを備え、複数の対応する２Ｇ／３Ｇセルは２Ｇ／３Ｇセルを含み、２Ｇ／３Ｇセルに対応する第１のハンドオーバーコマンドは複数の第１のハンドオーバーコマンドメッセージ内に含まれる。ＵＥは、複数の対応する２Ｇ／３Ｇセルに関連する測定に少なくとも部分的に基づいて、複数の対応する２Ｇ／３Ｇセルから２Ｇ／３Ｇセルを選択し得る。ＵＥは、複数の対応する２Ｇ／３Ｇセルから２Ｇ／３Ｇセルを選択することに少なくとも部分的に基づいて、２Ｇ／３Ｇセルに関する測定報告を提供するように構成され得る。いくつかの態様では、ＵＥは、２Ｇ／３Ｇセルに対応する第１のハンドオーバーコマンドメッセージを実行することに少なくとも部分的に基づいて、２Ｇ／３Ｇセルに同調するように構成される。
【００９５】
[00101]いくつかの態様では、複数の第１のハンドオーバーコマンドメッセージは、４Ｇ／ＬＴＥデバイスを介して無線ネットワークコントローラから受信される。いくつかの態様では、ＵＥは、５Ｇ／ＮＲ基地局とのエアインターフェース接続を解除し得る。いくつかの態様では、５Ｇ／ＮＲ基地局は、４Ｇ／ＬＴＥデバイスとコロケートされる。
【００９６】
[00102]図６は、プロセス６００の例示的なブロックを示すが、いくつかの態様では、プロセス６００は、追加のブロック、より少数のブロック、異なるブロック、または図６に示されるものとは異なるように構成されたブロックを含み得る。追加または代替として、プロセス６００のブロックのうちの２つ以上が、並列に実行され得る。
【００９７】
[00103]図７は、本開示の様々な態様による、たとえば、４Ｇ／ＬＴＥデバイスによって実施される例示的なプロセス７００を示す図である。例示的なプロセス７００は、４Ｇ／ＬＴＥデバイス（たとえば、ＢＳ１１０、図３Ａ、図３Ｂ、図４Ａ、図４Ｂおよび図５の４Ｇ／ＬＴＥ  ＢＳ１１０、ＭＭＥなど）が、ＬＴＥエアインターフェースにアクセスしない５Ｇ／ＮＲから２Ｇ／３Ｇへのフォールバックを実施する。
【００９８】
[00104]図７に示すように、いくつかの態様では、プロセス７００は、そのセルを介してＵＥがコールを実施することになる２Ｇ／３Ｇセルを識別するために測定構成を識別する第１のメッセージを提供することを含み得、第１のメッセージは５Ｇ／ＮＲ基地局を介してＵＥに提供される（ブロック７１０）。たとえば、４Ｇ／ＬＴＥデバイス（たとえば、コントローラ／プロセッサ２４０、送信プロセッサ２２０、ＴＸ  ＭＩＭＯプロセッサ２３０、ＭＯＤ２３２、アンテナ２３４などを使用する）は、そのセルを介してＵＥがコールを実施することになる２Ｇ／３Ｇセルを識別するために測定構成を識別する第１のメッセージを提供し得る。第１のメッセージは、５Ｇ／ＮＲ基地局を介してＵＥに提供され得る。たとえば、第１のメッセージは、５Ｇ／ＮＲ基地局に対してトランスペアレントであるコンテナまたは一組のコンテナの中で提供され得る。
【００９９】
[00105]図７に示すように、いくつかの態様では、プロセス７００は、測定構成に少なくとも部分的に基づいて５Ｇ／ＮＲ基地局を介して、２Ｇ／３Ｇセルに関する測定報告を受信することを含み得る（ブロック７２０）。たとえば、４Ｇ／ＬＴＥデバイス（たとえば、アンテナ２３４、ＤＥＭＯＤ２３２、ＭＩＭＯ検出器２３６、受信プロセッサ２３８、コントローラ／プロセッサ２４０などを使用する）は、測定構成に少なくとも部分的に基づいて２Ｇ／３Ｇセルに関する測定報告を受信し得る。４Ｇ／ＬＴＥデバイスは、５Ｇ／ＮＲ基地局を介して測定報告を受信し得る。たとえば、ＵＥは、ＬＴＥ  ＲＲＣコンテナをカプセル化する５Ｇ／ＮＲ  ＲＲＣコンテナ内で５Ｇ／ＮＲ基地局に測定報告を送信し得る。
【０１００】
[00106]図７に示すように、いくつかの態様では、プロセス７００は、コールを実施するためにＵＥの２Ｇ／３Ｇセルへのハンドオーバーを構成するための第２のメッセージを提供することを含み得、第２のメッセージは５Ｇ／ＮＲ基地局を介してＵＥに提供される（ブロック７３０）。たとえば、４Ｇ／ＬＴＥデバイス（たとえば、コントローラ／プロセッサ２４０、送信プロセッサ２２０、ＴＸ  ＭＩＭＯプロセッサ２３０、ＭＯＤ２３２、アンテナ２３４などを使用する）は、ハンドオーバーを構成するための第２のメッセージを提供し得る。第２のメッセージは、５Ｇ／ＮＲ基地局を介してＵＥに提供され得る。いくつかの態様では、第２のメッセージは、ハンドオーバーコマンドなどを含み得る。
【０１０１】
[00107]プロセス７００は、以下で説明する任意の単一の態様もしくは態様の任意の組合せなど、および／または本明細書の他の場所で説明する１つまたは複数の他のプロセスに関連する、追加の態様を含み得る。
【０１０２】
[00108]いくつかの態様では、第１のメッセージは、単一無線音声通信継続（ＳＲＶＣＣ）がコールに関して構成されることになることを示す、５Ｇ／ＮＲ基地局から受信された、ハンドオーバーメッセージに少なくとも部分的に基づいて提供される。いくつかの態様では、４Ｇ／ＬＴＥデバイスは、複数の２Ｇ／３Ｇセルの測定構成を識別する複数の第１のメッセージを提供し得、２Ｇ／３Ｇセルに関する測定報告は、ＵＥによる２Ｇ／３Ｇセルの選択に少なくとも部分的に基づいて受信される。
【０１０３】
[00109]いくつかの態様では、４Ｇ／ＬＴＥデバイスは、複数の２Ｇ／３Ｇセルに関するマルチターゲットハンドオーバー準備手順を実施し得る。
【０１０４】
[00110]いくつかの態様では、測定報告は、２Ｇ／３Ｇセルを含む複数の２Ｇ／３Ｇセルに関する測定情報を含み、２Ｇ／３Ｇセルは、測定情報に少なくとも部分的に基づいてハンドオーバーのために選択される。いくつかの態様では、４Ｇ／ＬＴＥデバイスは、ＵＥの２Ｇ／３Ｇセルへのパケット交換ハンドオーバーの構成のためにトラッキングエリア更新（ＴＡＵ）メッセージを５Ｇ／ＮＲ基地局を介して受信することと、ＵＥの２Ｇ／３Ｇセルへのパケット交換ハンドオーバーを構成することと、ＵＥの２Ｇ／３Ｇセルへのパケット交換ハンドオーバーを引き起こすためにＴＡＵ受付メッセージを提供することとを行い得る。
【０１０５】
[00111]いくつかの態様では、ＴＡＵメッセージは第１の非アクセス層（ＮＡＳ）コンテナ内で受信され、ＴＡＵ受付メッセージは第２のＮＡＳコンテナ内で提供され、第１のＮＡＳコンテナおよび第２のＮＡＳコンテナは５Ｇ／ＮＲ基地局に対してトランスペアレントなコンテナ内に封入される。いくつかの態様では、第１のメッセージまたは第２のメッセージのうちの少なくとも１つは、４Ｇ／ＬＴＥ無線リソース制御（ＲＲＣ）メッセージ内にカプセル化され、４Ｇ／ＬＴＥ  ＲＲＣメッセージは、５Ｇ／ＮＲ  ＲＲＣメッセージ内にカプセル化される。
【０１０６】
[00112]いくつかの態様では、測定報告は、５Ｇ／ＮＲ基地局に対してトランスペアレントであるコンテナ内にカプセル化される。いくつかの態様では、第１のメッセージまたは第２のメッセージのうちの少なくとも１つは、５Ｇ／ＮＲ基地局に対してトランスペアレントであるコンテナ内にカプセル化される。いくつかの態様では、５Ｇ／ＮＲ基地局は、４Ｇ／ＬＴＥデバイスとコロケートされる。
【０１０７】
[00113]図７は、プロセス７００の例示的なブロックを示すが、いくつかの態様では、プロセス７は、追加のブロック、より少数のブロック、異なるブロック、または図７に示すものとは異なるように構成されたブロックを含み得る。追加または代替として、プロセス７００のブロックのうちの２つ以上が、並列に実行され得る。
【０１０８】
[00114]上記の開示は、例示および説明を与えるものであり、網羅的なものでも、態様を開示された正確な形態に限定するものでもない。修正および変形が、上記の開示に照らして可能であり、または態様の実施から取得され得る。
【０１０９】
[00115]本明細書で使用される構成要素という用語は、ハードウェア、ファームウェア、またはハードウェアとソフトウェアの組合せとして広く解釈されるものとする。本明細書で使用されるプロセッサは、ハードウェア、ファームウェア、またはハードウェアとソフトウェアの組合せで実装される。
【０１１０】
[00116]本明細書では、しきい値に関するいくつかの態様が説明される。本明細書で使用されるしきい値を満たすことは、値が、しきい値よりも大きいこと、しきい値よりも大きいかまたはそれに等しいこと、しきい値よりも小さいこと、しきい値よりも小さいかまたはそれに等しいこと、しきい値に等しいこと、しきい値に等しくないことなどを指すことがある。
【０１１１】
[00117]本明細書で説明されるシステムおよび／または方法は、ハードウェア、ファームウェア、またはハードウェアとソフトウェアの組合せの様々な形式で実装され得ることが明らかであろう。これらのシステムおよび／または方法を実装するために使用される実際の専用制御ハードウェアまたはソフトウェアコードは、態様の限定ではない。したがって、システムおよび／または方法の動作および挙動は、特定のソフトウェアコードと無関係に本明細書で説明され、ソフトウェアおよびハードウェアは、本明細書の説明に少なくとも部分的に基づいて、システムおよび／または方法を実装するように設計され得ることが理解される。
【０１１２】
[00118]特徴の特定の組合せが特許請求の範囲において具陳されおよび／または本明細書で開示されたが、これらの組合せは、可能な態様の開示を限定するものではない。実際は、これらの特徴の多くは、詳細には、特許請求の範囲において具陳されずおよび／または本明細書で開示されない方法で、組み合わせられ得る。以下に記載される各従属請求項は、１つの請求項のみに直接従属することがあるが、可能な態様の開示は、特許請求の範囲中のあらゆる他の請求項と組み合わせた各従属請求項を含む。項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１１３】
[00119]本明細書で使用されるいかなる要素、行為、または命令も、明示的にそのように説明されない限り、重要または必須と解釈されるべきではない。また、本明細書で使用される冠詞「ａ」および「ａｎ」は、１つまたは複数の項目を含むものであり、「１つまたは複数」と互換的に使用され得る。さらに、本明細書で使用される「セット」および「グループ」という用語は、１つまたは複数の項目（たとえば、関係する項目、無関係の項目、関係する項目と無関係の項目の組合せなど）を含むものであり、「１つまたは複数」と互換的に使用され得る。ただ１つの項目が意図される場合、「１つ（ｏｎｅ）」という用語または同様の言い回しが使用される。また、本明細書で使用される「有する（ｈａｓ）」、「有する（ｈａｖｅ）」、「有する（ｈａｖｉｎｇ）」などの用語は、オープンエンド用語であるものとする。さらに、「に基づく」という句は、別段に明記されていない限り、「に少なくとも部分的に基づく」を意味するものである。
【図１】
2020537448.tif 000003
【図２】
2020537448.tif 000004
【図３Ａ】
2020537448.tif 000005
【図３Ｂ】
2020537448.tif 000006
【図４Ａ】
2020537448.tif 000007
【図４Ｂ】
2020537448.tif 000008
【図５】
2020537448.tif 000009
【図６】
2020537448.tif 000010
【図７】
2020537448.tif 000011
【国際調査報告】
2020537448.tif 000012
2020537448.tif 000013